(57)【要約】本願の実施形態は、方法を提供し、方法は、ＲＲＣエンティティによって、伝送されるべきデータを含む第１ＲＲＣメッセージを下位レイヤエンティティへ送信し、ＭＡＣエンティティによって上位レイヤエンティティから第１ＲＲＣメッセージを受信することと、ＭＡＣエンティティによって、通信装置のカバレッジレベルによってサポートされるデータ量が第１ＲＲＣメッセージのサイズを満足する場合に、第１ＲＲＣメッセージがランダム・アクセス・プロセスで送信されるべきであることを示すために使用される第１ランダム・アクセス・プリアンブルを決定することとを含む。
2021502756.tif 000002
【特許請求の範囲】
【請求項１】
媒体アクセス制御ＭＡＣエンティティを有する通信装置のランダム・アクセス方法であって、
前記ＭＡＣエンティティによって、上位レイヤエンティティから、伝送されるべきデータを有する第１無線リソース制御ＲＲＣメッセージを受け取ることと、
前記ＭＡＣエンティティによって、前記通信装置のカバレッジレベルによってサポートされるデータ量が前記第１ＲＲＣメッセージのサイズを満足する場合に、前記第１ＲＲＣメッセージがランダム・アクセス・プロセスで送信されるべきであることを示すために使用される第１ランダム・アクセス・プリアンブルを決定することと
を有する方法。
【請求項２】
前記ＭＡＣエンティティによって、下位レイヤエンティティから、前記通信装置に割り当てられているリソースを有する、前記第１ランダム・アクセス・プリアンブルに応答する応答メッセージを受け取ることと、
前記ＭＡＣエンティティによって、前記リソースが前記第１ＲＲＣメッセージの前記サイズを満足する場合に、前記第１ＲＲＣメッセージを前記下位レイヤエンティティへ送信することと
を更に有する、
請求項１に記載の方法。
【請求項３】
前記ＭＡＣエンティティによって、前記通信装置の前記カバレッジレベルによってサポートされる前記データ量が前記第１ＲＲＣメッセージの前記サイズを満足しない場合に、前記第１ＲＲＣメッセージが前記ランダム・アクセス・プロセスで送信され得ないことを示すために使用される第１指示情報を前記上位レイヤエンティティへ送信することを更に有する、
請求項１又は２に記載の方法。
【請求項４】
前記ＭＡＣエンティティによって、前記リソースが前記第１ＲＲＣメッセージの前記サイズを満足しない場合に、前記第１ＲＲＣメッセージが前記ランダム・アクセス・プロセスで送信され得ないことを示すために使用される第２指示情報を前記上位レイヤエンティティへ送信することを更に有する、
請求項２に記載の方法。
【請求項５】
前記ＭＡＣエンティティによって、前記送信されるべきデータを有さない第２ＲＲＣメッセージを前記上位レイヤエンティティから受け取ることと、
前記ＭＡＣエンティティによって、前記通信装置の前記カバレッジレベルによってサポートされる前記データ量が前記第１ＲＲＣメッセージの前記サイズを満足しない場合に、前記第２ＲＲＣメッセージを前記下位レイヤエンティティへ送信し、あるいは、
前記ＭＡＣエンティティによって、前記リソースが前記第１ＲＲＣメッセージの前記サイズを満足しない場合に、前記第２ＲＲＣメッセージを前記下位レイヤエンティティへ送信することと
を更に有する、
請求項１乃至４のうちいずれか一項に記載の方法。
【請求項６】
無線リソース制御ＲＲＣエンティティを有する通信装置のランダム・アクセス方法であって、
前記ＲＲＣエンティティによって、伝送されるべきデータを有する第１ＲＲＣメッセージを下位レイヤエンティティへ送信することを有する、
方法。
【請求項７】
前記ＲＲＣエンティティによって、前記第１ＲＲＣメッセージがランダム・アクセス・プロセスで送信され得ないことを示すために使用される、前記下位レイヤエンティティによって送信された指示情報を受け取ることを更に有する、
請求項６に記載の方法。
【請求項８】
前記通信装置のカバレッジレベルによってサポートされるデータ量は、前記第１ＲＲＣメッセージのサイズを満足せず、あるいは、
前記通信装置に割り当てられているリソースは、前記第１ＲＲＣメッセージのサイズを満足しない、
請求項７に記載の方法。
【請求項９】
前記ＲＲＣエンティティによって、前記送信されるべきデータを有さない第２ＲＲＣメッセージを前記下位レイヤエンティティへ送信することを更に有する、
請求項６乃至８のうちいずれか一項に記載の方法。
【請求項１０】
媒体アクセス制御ＭＡＣエンティティを有する通信装置のランダム・アクセス方法であって、
前記ＭＡＣエンティティによって、上位レイヤエンティティから、伝送されるべきデータがランダム・アクセス・プロセスで伝送されるべきであること示すために使用される第１指示情報を受け取ることと、
前記ＭＡＣエンティティによって、前記通信装置のカバレッジレベルを前記上位レイヤエンティティへ返すことと
を有する方法。
【請求項１１】
前記方法は、
前記ＭＡＣエンティティによって、前記上位レイヤエンティティから、前記伝送されるべきデータを有する第１ＲＲＣメッセージを受け取ることと、
前記ＭＡＣエンティティによって、前記第１ＲＲＣメッセージが前記ランダム・アクセス・プロセスで送信されるべきであることを示すために使用される第１ランダム・アクセス・プリアンブルを決定することと
を更に有する、
請求項１０に記載の方法。
【請求項１２】
前記方法は、
前記ＭＡＣエンティティによって、下位レイヤエンティティから、前記通信装置に割り当てられているリソースを有する、前記第１ランダム・アクセス・プリアンブルに応答する応答メッセージを受け取ることと、
前記ＭＡＣエンティティによって、前記リソースが前記第１ＲＲＣメッセージのサイズを満足する場合に、前記第１ＲＲＣメッセージを前記下位レイヤエンティティへ送信することと
を更に有する、
請求項１１に記載の方法。
【請求項１３】
前記方法は、
前記ＭＡＣエンティティによって、前記リソースが前記第１ＲＲＣメッセージの前記サイズを満足しない場合に、前記第１ＲＲＣメッセージが前記ランダム・アクセス・プロセスで送信され得ないことを示すために使用される第２指示情報を前記上位レイヤエンティティへ送信することを更に有する、
請求項１２に記載の方法。
【請求項１４】
前記方法は、
前記ＭＡＣエンティティによって、前記送信されるべきデータを有さない第２ＲＲＣメッセージを前記上位レイヤエンティティから受け取ることと、
前記ＭＡＣエンティティによって、前記第２ＲＲＣメッセージを前記下位レイヤエンティティへ送信することと
を更に有する、
請求項１０に記載の方法。
【請求項１５】
無線リソース制御ＲＲＣエンティティを有する通信装置のランダム・アクセス方法であって、
前記ＲＲＣエンティティによって、伝送されるべきデータがランダム・アクセス・プロセスで伝送されるべきであること示すために使用される第１指示情報を下位レイヤエンティティへ送信することと、
前記ＲＲＣエンティティによって、前記下位レイヤエンティティによって返された前記通信装置のカバレッジレベルを受け取ることと、
前記ＲＲＣエンティティによって、前記通信装置の前記カバレッジレベルによってサポートされるデータ量が、前記伝送されるべきデータを有する第１ＲＲＣメッセージのサイズを満足する場合に、前記第１ＲＲＣメッセージを前記下位レイヤエンティティへ送信することと
を有する方法。
【請求項１６】
前記方法は、
前記ＲＲＣエンティティによって、前記第１ＲＲＣメッセージが前記ランダム・アクセス・プロセスで送信され得ないことを示すために使用される、前記下位レイヤエンティティによって送信された第２指示情報を受け取ることと、
前記ＲＲＣエンティティによって、前記送信されるべきデータを有さない第２ＲＲＣメッセージを前記下位レイヤエンティティへ送信することと
を更に有する、
請求項１５に記載の方法。
【請求項１７】
前記ＲＲＣエンティティによって、前記通信装置の前記カバレッジレベルによってサポートされる前記データ量が前記第１ＲＲＣメッセージの前記サイズを満足しない場合に、前記送信されるべきデータを有さない前記第２ＲＲＣメッセージを前記下位レイヤエンティティへ送信することを更に有する、
請求項１５又は１６に記載の方法。
【請求項１８】
媒体アクセス制御ＭＡＣエンティティを有する通信装置であって、
前記ＭＡＣエンティティは、
伝送されるべきデータを有する第１無線リソース制御ＲＲＣメッセージを上位レイヤエンティティから受け取り、
前記通信装置のカバレッジレベルによってサポートされるデータ量が前記第１ＲＲＣメッセージのサイズを満足する場合に、前記第１ＲＲＣメッセージがランダム・アクセス・プロセスで送信されるべきであることを示すために使用される第１ランダム・アクセス・プリアンブルを決定する
よう構成される、
装置。
【請求項１９】
前記ＭＡＣエンティティは、
下位レイヤエンティティから、前記通信装置に割り当てられているリソースを有する、前記第１ランダム・アクセス・プリアンブルに応答する応答メッセージを受け取り、
前記リソースが前記第１ＲＲＣメッセージの前記サイズを満足する場合に、前記第１ＲＲＣメッセージを前記下位レイヤエンティティへ送信する
よう更に構成される、
請求項１８に記載の装置。
【請求項２０】
前記ＭＡＣエンティティは、
前記通信装置の前記カバレッジレベルによってサポートされる前記データ量が前記第１ＲＲＣメッセージの前記サイズを満足しない場合に、前記第１ＲＲＣメッセージが前記ランダム・アクセス・プロセスで送信され得ないことを示すために使用される第１指示情報を前記上位レイヤエンティティへ送信するよう更に構成される、
請求項１８又は１９に記載の装置。
【請求項２１】
前記ＭＡＣエンティティは、
前記リソースが前記第１ＲＲＣメッセージの前記サイズを満足しない場合に、前記第１ＲＲＣメッセージが前記ランダム・アクセス・プロセスで送信され得ないことを示すために使用される第２指示情報を前記上位レイヤエンティティへ送信するよう更に構成される、
請求項１９に記載の装置。
【請求項２２】
前記ＭＡＣエンティティは、
前記送信されるべきデータを有さない第２ＲＲＣメッセージを前記上位レイヤエンティティから受け取り、
前記通信装置の前記カバレッジレベルによってサポートされる前記データ量が前記第１ＲＲＣメッセージの前記サイズを満足しない場合に、前記第２ＲＲＣメッセージを前記下位レイヤエンティティへ送信するか、あるいは、前記リソースが前記第１ＲＲＣメッセージの前記サイズを満足しない場合に、前記第２ＲＲＣメッセージを前記下位レイヤエンティティへ送信する
よう更に構成される、
請求項１８乃至２１のうちいずれか一項に記載の装置。
【請求項２３】
無線リソース制御ＲＲＣエンティティを有する通信装置であって、
前記ＲＲＣエンティティは、
伝送されるべきデータを有する第１ＲＲＣメッセージを下位レイヤエンティティへ送信するよう構成される、
装置。
【請求項２４】
前記ＲＲＣエンティティは、
前記第１ＲＲＣメッセージがランダム・アクセス・プロセスで送信され得ないことを示すために使用される、前記下位レイヤエンティティによって送信された指示情報を受け取るよう更に構成される、
請求項２３に記載の装置。
【請求項２５】
前記通信装置のカバレッジレベルによってサポートされるデータ量は、前記第１ＲＲＣメッセージのサイズを満足せず、あるいは、
前記通信装置に割り当てられているリソースは、前記第１ＲＲＣメッセージのサイズを満足しない、
請求項２４に記載の装置。
【請求項２６】
前記ＲＲＣエンティティは、
前記送信されるべきデータを有さない第２ＲＲＣメッセージを前記下位レイヤエンティティへ送信するよう更に構成される、
請求項２３乃至２５のうちいずれか一項に記載の装置。
【請求項２７】
媒体アクセス制御ＭＡＣエンティティを有する通信装置であって、
前記ＭＡＣエンティティは、
伝送されるべきデータがランダム・アクセス・プロセスで伝送されるべきであること示すために使用される第１指示情報を上位レイヤエンティティから受け取り、
前記通信装置のカバレッジレベルを前記上位レイヤエンティティへ返す
よう構成される、
装置。
【請求項２８】
前記ＭＡＣエンティティは、
前記伝送されるべきデータを有する第１ＲＲＣメッセージを前記上位レイヤエンティティから受け取り、
前記第１ＲＲＣメッセージが前記ランダム・アクセス・プロセスで送信されるべきであることを示すために使用される第１ランダム・アクセス・プリアンブルを決定する
よう更に構成される、
請求項２７に記載の装置。
【請求項２９】
前記ＭＡＣエンティティは、
下位レイヤエンティティから、前記通信装置に割り当てられているリソースを有する、前記第１ランダム・アクセス・プリアンブルに応答する応答メッセージを受け取り、
前記リソースが前記第１ＲＲＣメッセージのサイズを満足する場合に、前記第１ＲＲＣメッセージを前記下位レイヤエンティティへ送信する
よう更に構成される、
請求項２８に記載の装置。
【請求項３０】
前記ＭＡＣエンティティは、
前記リソースが前記第１ＲＲＣメッセージの前記サイズを満足しない場合に、前記第１ＲＲＣメッセージが前記ランダム・アクセス・プロセスで送信され得ないことを示すために使用される第２指示情報を前記上位レイヤエンティティへ送信するよう更に構成される、
請求項２９に記載の装置。
【請求項３１】
前記ＭＡＣエンティティは、
前記送信されるべきデータを有さない第２ＲＲＣメッセージを前記上位レイヤエンティティから受け取り、
前記第２ＲＲＣメッセージを前記下位レイヤエンティティへ送信する
よう更に構成される、
請求項２７に記載の装置。
【請求項３２】
無線リソース制御ＲＲＣエンティティを有する通信装置であって、
前記ＲＲＣエンティティは、
伝送されるべきデータがランダム・アクセス・プロセスで伝送されるべきであること示すために使用される第１指示情報を下位レイヤエンティティへ送信し、
前記下位レイヤエンティティによって返された前記通信装置のカバレッジレベルを受け取り、
前記通信装置の前記カバレッジレベルによってサポートされるデータ量が、前記伝送されるべきデータを有する第１ＲＲＣメッセージのサイズを満足する場合に、前記第１ＲＲＣメッセージを前記下位レイヤエンティティへ送信する
よう構成される、
装置。
【請求項３３】
前記ＲＲＣエンティティは、
前記第１ＲＲＣメッセージが前記ランダム・アクセス・プロセスで送信され得ないことを示すために使用される、前記下位レイヤエンティティによって送信された第２指示情報を受け取り、
前記送信されるべきデータを有さない第２ＲＲＣメッセージを前記下位レイヤエンティティへ送信する
よう更に構成される、
請求項３２に記載の装置。
【請求項３４】
前記ＲＲＣエンティティは、
前記通信装置の前記カバレッジレベルによってサポートされる前記データ量が前記第１ＲＲＣメッセージの前記サイズを満足しない場合に、前記送信されるべきデータを有さない前記第２ＲＲＣメッセージを前記下位レイヤエンティティへ送信するよう更に構成される、
請求項３２又は３３に記載の装置。
【請求項３５】
コンピュータ命令を記憶しているメモリと、プロセッサとを有し、
前記プロセッサは、請求項１乃至１７のうちいずれか一項に記載の、通信装置のランダム・アクセス方法を実行するよう構成される、
通信装置。
【請求項３６】
読み出し可能な記憶媒体及びコンピュータ命令を有し、
前記コンピュータプログラムは、請求項１乃至１７のうちいずれか一項に記載の、通信装置のランダム・アクセス方法を実装するために使用される、
読み出し可能な記憶媒体。
【請求項３７】
プログラム製品であって、
前記コンピュータ命令は、読み出し可能な記憶媒体に記憶され、
通信装置の少なくとも１つのプロセッサは、前記読み出し可能な記憶媒体から前記コンピュータ命令を読み出し、該コンピュータ命令を実行して、前記通信装置が、請求項１乃至１７のうちいずれか一項に記載の、通信装置のランダム・アクセス方法を実行することを可能にする、
プログラム製品。
【発明の詳細な説明】
【技術分野】
【０００１】
本願は、通信技術に、特に、通信装置のランダム・アクセス方法、装置、及び記憶媒体に関する。
【背景技術】
【０００２】
移動体通信は、人々の生活を大きく変えてきたが、より高い性能を有している移動体システムの追求は、決して止まらない。例えば、第４世代（4th  Generation，４Ｇ）移動体通信システム及び第５世代（5th  Generation，５Ｇ）移動体通信システムは、移動体データトラフィックの将来の爆発的な増加、膨大な数のデバイス接続、並びに絶えず進化する様々な新しいサービス及びアプリケーションサービスに対処するために現れる。インターネット・オブ・シングスは、５Ｇの構成要素であり、ＩｏＴに対する市場要求は、急速に成長している。
【０００３】
現在、第３世代パートナーシッププロジェクト（3rd  Generation  Partnership  Project，３ＧＰＰ）標準は、セルラー・ネットワークに基づいて、例えば、セルラー・ナローバンド・インターネット・オブ・シングス（Narrow  Band  Internet  of  Things，ＮＢ−ＩｏＴ）ネットワーク又はセルラー・マシン・タイプ・コミュニケーションズ（machine  type  communication，ＭＴＣ）ネットワークに基づいてインターネット・オブ・シングスの特徴のための解決法を提案している。ＮＢ−ＩｏＴネットワーク及びＭＴＣネットワークは夫々、ＩｏＴサービスを運ぶために狭帯域技術の特徴を使用する。ＮＢ−ＩｏＴネットワークは、既存のセルラー・ネットワーク・ロング・ターム・エボリューション（Long  Term  Evolution，ＬＴＥ）に依存しない新しいエア・インターフェース技術を使用し、端末コストがより安く、より低いレート及びより低いモビリティをサポートする。ＭＴＣネットワークは、従来のセルラー・ネットワークの一部であり、ＮＢ−ＩｏＴと比べて端末コストがわずかに高く、より高いレート及びより高いモビリティを有しているインターネット・オブ・シングスのサービスに適用可能である。
【０００４】
Ｒｅｌ−１５バージョンにおいて、ＮＢ−ＩｏＴ及びＭＴＣは、インターネット・オブ・シングスのスモール・データ・パケット伝送の特徴のために継続的に最適化され、ランダム・アクセス・プロセスでのデータ伝送のための新しい技術は、スモール・データ・パケット伝送のレイテンシ及び電力消費を減らすように、設計中である。しかし、この新しい設計は、新しい課題ももたらす。例えば、単に無線リソース制御（Radio  Resource  Control，ＲＲＣ）接続を確立することを目的とした従来のランダム・アクセスでは、ＲＲＣレイヤと媒体アクセス制御（Media  Access  Control，ＭＡＣ）レイヤとの間のレイヤ間相互作用は、比較的に簡単であり、通常はランダム・アクセスの最初のフェーズ及び終わりのフェーズ（異常終了を含む）でのみ起こる。しかし、ランダム・アクセス・プロセスでデータが伝送される必要がある場合に、ネットワーク資源の不足又はエア・インターフェース伝送の失敗によりロールバック・メカニズムが必要とされることがある。この場合に、ＲＲＣレイヤとＭＡＣレイヤとの間の相互作用は、より複雑である可能性がある。
【０００５】
従って、ランダム・アクセス・プロセスでのデータ伝送の新しい要件を満足するように、新しいランダム・アクセス・ソリューションがＮＢ−ＩｏＴ及びＭＴＣのために設計される必要がある。
【発明の概要】
【０００６】
本願は、ランダム・アクセス・プロセスでのデータ伝送の新しい要件を満足するように、ＮＢ−ＩｏＴ及びＭＴＣのための新しいランダム・アクセス・ソリューションを設計するために、通信装置のランダム・アクセス方法、装置、及び記憶媒体を提供する。
【０００７】
本願の第１の態様は、通信装置のランダム・アクセス方法を提供する。通信装置は、ＭＡＣエンティティを含み、方法は、
ＭＡＣエンティティによって、上位レイヤエンティティから、伝送されるべきデータを含む第１無線リソース制御ＲＲＣメッセージを受け取ることと、
ＭＡＣエンティティによって、通信装置のカバレッジレベルによってサポートされるデータ量が第１ＲＲＣメッセージのサイズを満足する場合に、第１ＲＲＣメッセージがランダム・アクセス・プロセスで送信されるべきであることを示すために使用される第１ランダム・アクセス・プリアンブルを決定することと
を含む。
【０００８】
すなわち、第１ランダム・アクセス・プリアンブルは、シグナリング以外のデータが現在のランダム・アクセス・プロセスで伝送されるべきであることを受信端に通知するために使用されてよい。第１ランダム・アクセス・プリアンブルの機能は、複数の方法で表現される可能性があることが理解され得る。例えば、第１ランダム・アクセス・プリアンブルは、伝送されるべきデータを運ぶＲＲＣメッセージがランダム・アクセス・プロセスで送信されるべきであることを示すために使用されてよい。他の例として、第１ランダム・アクセス・プリアンブルは、伝送されるべきデータがランダム・アクセス・プロセスで送信されるべきであることを示すために使用されてよい。他の例として、第１ランダム・アクセス・プリアンブルは、伝送されるべきデータがランダム・アクセス・プロセスでＲＲＣメッセージを使用することによって送信されるべきであることを示すために使用されてよい。他の例として、第１ランダム・アクセス・プリアンブルは、伝送されるべきデータがランダム・アクセス・プロセスでＭＳＧ３において送信されるべきであることを示すために使用されてよい。他の例として、第１ランダム・アクセス・プリアンブルは、伝送されるべきデータがランダム・アクセス・プロセスでメッセージを使用することによって送信されるべきであることを示すために使用されてよい。第１ランダム・アクセス・プリアンブルの機能の表現方法は、本願において制限されない。
【０００９】
加えて、第１ランダム・アクセス・プリアンブル及び既存のランダム・アクセス・プリアンブルは、異なるリソースを使用してよく、それにより、受信端は、プリアンブルによって使用されているリソースを使用することによって、第１ランダム・アクセス・プリアンブルと既存のランダム・アクセス・プリアンブルとを区別することができる。リソース次元は、時間領域（プリアンブルを送るためのリソースの周期、期間、開始時間、など）、周波数領域（プリアンブルを送るために使用されるキャリア、サブキャリア、など）、符号領域（プリアンブルによって使用される符号語）、などを含む。リソース間の違いは、時間領域、周波数領域、及び符号領域のうちのいずれか１つ以上における違いであってよい。これは、本願において制限されない。ＭＡＣエンティティは、複数の方法で、第１ランダム・アクセス・プリアンブル及び既存のランダム・アクセス・プリアンブルによって使用され得るリソースを取得し、例えば、関連するコンフィグレーションを上位レイヤエンティティから取得してよい。これも制限されない。第１ランダム・アクセス・プリアンブル及び既存のランダム・アクセス・プリアンブルが異なるリソースを使用する解決法に基づいて、上記の方法は、次のように表現され得る：
ＭＡＣエンティティによって、伝送されるべきデータを含む第１ＲＲＣメッセージを上位レイヤエンティティから受け取り、
通信装置のカバレッジレベルによってサポートされるデータ量が第１ＲＲＣメッセージのサイズを満足する場合に、ＭＡＣエンティティによって、第１ランダム・アクセス・プリアンブルによって占有されるリソースを決定し、第１ランダム・アクセス・プリアンブルによって占有されるリソースは、第１ＲＲＣメッセージがランダム・アクセス・プロセスで送信されるべきであることを示すために使用される。第１ランダム・アクセス・プリアンブルによって占有されるリソースの機能の表現は、第１ランダム・アクセス・プリアンブルの機能の上記表現と同様であり得る。詳細は、ここで再び記載されない。
【００１０】
ＭＡＣエンティティは、カバレッジレベルによってサポートされるデータ量が第１ＲＲＣメッセージのサイズを満足するかどうかを判定し、それにより、ＭＡＣエンティティと他のエンティティ（例えば、ＲＲＣエンティティ）との間で交換される必要がある情報は低減可能である。
【００１１】
任意に、方法は、
ＭＡＣエンティティによって、下位レイヤエンティティから、通信装置に割り当てられているリソースを含む、第１ランダム・アクセス・プリアンブルに応答する応答メッセージを受け取ることと、
ＭＡＣエンティティによって、リソースが第１ＲＲＣメッセージのサイズを満足する場合に、第１ＲＲＣメッセージを下位レイヤエンティティへ送信することと
を更に含む。
【００１２】
任意に、方法は、
ＭＡＣエンティティによって、通信装置のカバレッジレベルによってサポートされるデータ量が第１ＲＲＣメッセージのサイズを満足しない場合に、第１ＲＲＣメッセージがランダム・アクセス・プロセスで送信され得ないことを示すために使用される第１指示情報を上位レイヤエンティティへ送信することを更に含む。
【００１３】
上記のいくつかの解決法では、ＭＡＣエンティティは、通信装置のカバレッジレベルによってサポートされるデータ量が第１ＲＲＣメッセージのサイズを満足するかどうかを判定する必要があることが理解されるべきである。第１ＲＲＣメッセージのサイズがカバレッジレベルによってサポートされるデータ量以下であるときには、カバレッジレベルによってサポートされるデータ量は第１ＲＲＣメッセージのサイズを満足し、あるいは、第１ＲＲＣメッセージのサイズがカバレッジレベルによってサポートされるデータ量よりも大きいときには、カバレッジレベルによってサポートされるデータ量は第１ＲＲＣメッセージのサイズを満足しない。
【００１４】
ＭＡＣエンティティは、複数の方法で、通信装置のカバレッジレベルによってサポートされるデータ量を取得し得る。例えば、ＭＡＣエンティティは、上位レイヤエンティティからネットワークのコンフィグレーション情報又は通信装置のコンフィグレーション情報を取得してよい。これは、この解決法において制限されない。
【００１５】
第１指示情報の主な目的は、ＭＡＣエンティティの判定結果が、データがランダム・アクセス・プロセスで伝送不可能であることであることを、ＲＲＣエンティティに知らせることである。第１指示情報の機能は、複数の方法で表現される可能性があることが理解され得る。例えば、第１指示情報は、第１ＲＲＣメッセージがランダム・アクセス・プロセスで送信され得ないことを示すために使用されてよい。他の例として、第１指示情報は、現在のカバレッジレベルによってサポートされるデータ量が第１ＲＲＣメッセージのサイズを満足しないことを示すために使用されてよい。他の例として、第１指示情報は、第１ＲＲＣメッセージが伝送不可能であることを示すために使用されてよい。他の例として、第１指示情報は、データを含まないＲＲＣメッセージが必要とされることを示すために使用されてよい。他の例として、第１指示情報は、アーリーデータ伝送プロシージャが現在のランダム・アクセス・プロセスでは実行されるべきではないこと、又はデータが現在のランダム・アクセス・プロセスでは伝送不可能であることを示すために使用されてよい。これは、本願において制限されない。
【００１６】
任意に、方法は、
ＭＡＣエンティティによって、リソースが第１ＲＲＣメッセージのサイズを満足しない場合に、第１ＲＲＣメッセージがランダム・アクセス・プロセスで送信され得ないことを示すために使用される第２指示情報を上位レイヤエンティティへ送信することを更に含む。
【００１７】
同様に、第２指示情報の目的も、リソースが、伝送プロセスで第１ＲＲＣメッセージを伝送するには不十分であると判明することを示すことである。第２指示情報の機能は、複数の方法で表現される可能性があることが理解され得る。例えば、第２指示情報は、アップリンクリソースが第１ＲＲＣメッセージを伝送するには不十分であることを示すために使用されてよい。他の例として、第２指示情報は、伝送されるべきデータを含まない第２ＲＲＣメッセージが取得されるべきであることを示すために使用されてよい。他の例として、第２指示情報は、第１ＲＲＣメッセージが伝送に失敗することを示すために使用されてよい。他の例として、第２指示情報は、データが現在のランダム・アクセス・プロセスで伝送不可能であることを示すために使用されてよい。これは、本願において制限されない。
【００１８】
任意に、方法は、
ＭＡＣエンティティによって、送信されるべきデータを含まない第２ＲＲＣメッセージを上位レイヤエンティティから受け取ることと、
ＭＡＣエンティティによって、通信装置の前記カバレッジレベルによってサポートされるデータ量が第１ＲＲＣメッセージのサイズを満足しない場合に、第２ＲＲＣメッセージを下位レイヤエンティティへ送信し、あるいは、
ＭＡＣエンティティによって、リソースが第１ＲＲＣメッセージのサイズを満足しない場合に、第２ＲＲＣメッセージを下位レイヤエンティティへ送信することと
を更に含む。
【００１９】
本願の第２の態様は、通信装置のランダム・アクセス方法を提供する。通信装置は、ＲＲＣエンティティを含み、方法は、
ＲＲＣエンティティによって、伝送されるべきデータを含む第１ＲＲＣメッセージを下位レイヤエンティティへ送信することを含む。
【００２０】
任意に、方法は、
ＲＲＣエンティティによって、第１ＲＲＣメッセージがランダム・アクセス・プロセスで送信され得ないことを示すために使用される、下位レイヤエンティティによって送信された指示情報を受け取ることを更に含む。
【００２１】
任意に、通信装置のカバレッジレベルによってサポートされるデータ量は、第１ＲＲＣメッセージのサイズを満足せず、あるいは、通信装置に割り当てられているリソースは、第１ＲＲＣメッセージのサイズを満足しない。
【００２２】
任意に、方法は、
ＲＲＣエンティティによって、送信されるべきデータを含まない第２ＲＲＣメッセージを下位レイヤエンティティへ送信することを更に含む。
【００２３】
上記の解決法では、通信装置のカバレッジレベルによってサポートされるデータ量が第１ＲＲＣメッセージのサイズを満足しないときには、指示情報は、第１の態様における第１指示情報であり、あるいは、通信装置に割り当てられているリソースが第１ＲＲＣメッセージのサイズを満足しないときには、指示情報は、第１の態様における第２指示情報である。指示情報の具体的な意味については、第１の態様での説明を参照されたい。
【００２４】
本願の第３の態様は、通信装置のランダム・アクセス方法を提供する。通信装置は、ＭＡＣエンティティを含み、方法は、
ＭＡＣエンティティによって、上位レイヤエンティティから、伝送されるべきデータがランダム・アクセス・プロセスで伝送されるべきであること示すために使用される第１指示情報を受け取ることと、
ＭＡＣエンティティによって、通信装置のカバレッジレベルを上位レイヤエンティティへ返すことと
を含む。
【００２５】
この解決法では、第１指示情報の意味は、上記の解決法での第１指示情報のそれとは異なっている。ここで、ＲＲＣエンティティによってＭＡＣエンティティへ第１指示情報を送信する目的は、カバレッジレベルを取得することである。従って、伝送されるべきデータがランダム・アクセス・プロセスで伝送されるべきであることを示すことに加えて、第１指示情報は、カバレッジレベルが取得されるべきであることを示すか、あるいは、ＭＡＣエンティティにカバレッジレベルをＲＲＣエンティティへ返すよう指示するために、更に使用されてよい。これは、本願において制限されない。
【００２６】
任意に、方法は、
ＭＡＣエンティティによって、上位レイヤエンティティから、伝送されるべきデータを含む第１ＲＲＣメッセージを受け取ることと、
ＭＡＣエンティティによって、第１ＲＲＣメッセージがランダム・アクセス・プロセスで送信されるべきであることを示すために使用される第１ランダム・アクセス・プリアンブルを決定することと
を更に含む。
【００２７】
任意に、方法は、
ＭＡＣエンティティによって、下位レイヤエンティティから、通信装置に割り当てられているリソースを含む、第１ランダム・アクセス・プリアンブルに応答する応答メッセージを受け取ることと、
ＭＡＣエンティティによって、リソースが第１ＲＲＣメッセージのサイズを満足する場合に、第１ＲＲＣメッセージを下位レイヤエンティティへ送信することと
を更に含む。
【００２８】
任意に、方法は、
ＭＡＣエンティティによって、リソースが第１ＲＲＣメッセージのサイズを満足しない場合に、第１ＲＲＣメッセージがランダム・アクセス・プロセスで送信され得ないことを示すために使用される第２指示情報を上位レイヤエンティティへ送信することを更に含む。
【００２９】
この解決法では、第２指示情報の目的も、リソースが、伝送プロセスで第１ＲＲＣメッセージを伝送するには不十分であると判明することを示すことである。従って、第２指示情報は、アップリンクリソースが第１ＲＲＣメッセージを伝送するには不十分であることを示すか、あるいは、伝送されるべきデータを含まない第２ＲＲＣメッセージが取得されるべきであることを示すか、あるいは、第１ＲＲＣメッセージが伝送に失敗することを示すか、あるいは、データが現在のランダム・アクセス・プロセスで伝送不可能であることを示すために使用されてよい。これは、本願において制限されない。
【００３０】
任意に、方法は、
ＭＡＣエンティティによって、送信されるべきデータを含まない第２ＲＲＣメッセージを上位レイヤエンティティから受け取ることと、
ＭＡＣエンティティによって、第２ＲＲＣメッセージを下位レイヤエンティティへ送信することと
を更に含む。
【００３１】
本願の第４の態様は、通信装置のランダム・アクセス方法を提供する。通信装置は、ＲＲＣエンティティを含み、方法は、
ＲＲＣエンティティによって、伝送されるべきデータがランダム・アクセス・プロセスで伝送されるべきであること示すために使用される第１指示情報を下位レイヤエンティティへ送信することと、
ＲＲＣエンティティによって、下位レイヤエンティティによって返された通信装置のカバレッジレベルを受け取ることと、
ＲＲＣエンティティによって、通信装置の前記カバレッジレベルによってサポートされるデータ量が、伝送されるべきデータを含む第１ＲＲＣメッセージのサイズを満足する場合に、第１ＲＲＣメッセージを下位レイヤエンティティへ送信することと
を含む。
【００３２】
任意に、方法は、
ＲＲＣエンティティによって、第１ＲＲＣメッセージがランダム・アクセス・プロセスで送信され得ないことを示すために使用される、下位レイヤエンティティによって送信された第２指示情報を受け取ることと、
ＲＲＣエンティティによって、送信されるべきデータを含まない第２ＲＲＣメッセージを下位レイヤエンティティへ送信することと
を更に含む。
【００３３】
任意に、方法は、
ＲＲＣエンティティによって、通信装置のカバレッジレベルによってサポートされるデータ量が第１ＲＲＣメッセージのサイズを満足しない場合に、送信されるべきデータを含まない第２ＲＲＣメッセージを下位レイヤエンティティへ送信することを更に含む。
【００３４】
第３の態様及び第４の態様の夫々の技術的解決法では、ＲＲＣエンティティは、通信装置のカバレッジレベルによってサポートされるデータ量が第１ＲＲＣメッセージのサイズを満足するかどうかを判定する必要があることが理解されるべきである。第１ＲＲＣメッセージのサイズがカバレッジレベルによってサポートされるデータ量以下であるときには、カバレッジレベルによってサポートされるデータ量は第１ＲＲＣメッセージのサイズを満足し、あるいは、第１ＲＲＣメッセージのサイズがカバレッジレベルによってサポートされるデータ量よりも大きいときには、カバレッジレベルによってサポートされるデータ量は第１ＲＲＣメッセージのサイズを満足しない。
【００３５】
上記の解決法では、第１指示情報及び第２指示情報の意味は、第３の態様での第１指示情報及び第２指示情報のそれらと同様である。詳細は、ここで再び記載されない。
【００３６】
第１の態様乃至第４の態様のいずれの解決法でも、上位レイヤエンティティは、現在のエンティティよりも高いレイヤに位置し、かつ、現在のエンティティに隣接する又は隣接しないエンティティを含む。例えば、無線リンク制御（Radio  Link  Control，ＲＬＣ）エンティティのような他の機能エンティティが更に、ＲＲＣエンティティとＭＡＣエンティティとの間に含まれてよい。
【００３７】
本願の第５の態様は、ＭＡＣエンティティを提供し、ＭＡＣエンティティは、第１の態様における方法を実装するよう構成されてよい。例えば、ＭＡＣエンティティは、
伝送されるべきデータを含む第１無線リソース制御ＲＲＣメッセージを上位レイヤエンティティから受け取り、
通信装置のカバレッジレベルによってサポートされるデータ量が第１ＲＲＣメッセージのサイズを満足する場合に、第１ＲＲＣメッセージがランダム・アクセス・プロセスで送信されるべきであることを示すために使用される第１ランダム・アクセス・プリアンブルを決定する
よう構成される。
【００３８】
任意に、ＭＡＣエンティティは、
下位レイヤエンティティから、通信装置に割り当てられているリソースを含む、第１ランダム・アクセス・プリアンブルに応答する応答メッセージを受け取り、
リソースが第１ＲＲＣメッセージのサイズを満足する場合に、第１ＲＲＣメッセージを下位レイヤエンティティへ送信する
よう更に構成される。
【００３９】
任意に、ＭＡＣエンティティは、
通信装置のカバレッジレベルによってサポートされるデータ量が第１ＲＲＣメッセージのサイズを満足しない場合に、第１ＲＲＣメッセージがランダム・アクセス・プロセスで送信され得ないことを示すために使用される第１指示情報を上位レイヤエンティティへ送信するよう更に構成される。
【００４０】
任意に、ＭＡＣエンティティは、
リソースが第１ＲＲＣメッセージのサイズを満足しない場合に、第１ＲＲＣメッセージがランダム・アクセス・プロセスで送信され得ないことを示すために使用される第２指示情報を上位レイヤエンティティへ送信するよう更に構成される。
【００４１】
任意に、ＭＡＣエンティティは、
送信されるべきデータを含まない第２ＲＲＣメッセージを上位レイヤエンティティから受け取り、
通信装置のカバレッジレベルによってサポートされるデータ量が第１ＲＲＣメッセージのサイズを満足しない場合に、第２ＲＲＣメッセージを下位レイヤエンティティへ送信するか、あるいは、リソースが第１ＲＲＣメッセージのサイズを満足しない場合に、第２ＲＲＣメッセージを下位レイヤエンティティへ送信する
よう更に構成される。
【００４２】
本願の第６の態様は、ＲＲＣエンティティを提供し、ＲＲＣエンティティは、第２の態様における方法を実装するよう構成されてよい。例えば、ＲＲＣエンティティは、
伝送されるべきデータを含む第１ＲＲＣメッセージを下位レイヤエンティティへ送信するよう構成される。
【００４３】
任意に、ＲＲＣエンティティは、
第１ＲＲＣメッセージがランダム・アクセス・プロセスで送信され得ないことを示すために使用される、下位レイヤエンティティによって送信された指示情報を受け取るよう更に構成される。
【００４４】
任意に、通信装置のカバレッジレベルによってサポートされるデータ量は、第１ＲＲＣメッセージのサイズを満足せず、あるいは、
通信装置に割り当てられているリソースは、第１ＲＲＣメッセージのサイズを満足しない。
【００４５】
任意に、ＲＲＣエンティティは、
送信されるべきデータを含まない第２ＲＲＣメッセージを下位レイヤエンティティへ送信するよう更に構成される。
【００４６】
本願の第７の態様は、ＭＡＣエンティティを提供し、ＭＡＣエンティティは、第３の態様における方法を実装するよう構成されてよい。例えば、ＭＡＣエンティティは、
伝送されるべきデータがランダム・アクセス・プロセスで伝送されるべきであること示すために使用される第１指示情報を上位レイヤエンティティから受け取り、
通信装置のカバレッジレベルを上位レイヤエンティティへ返す
よう構成される。
【００４７】
任意に、ＭＡＣエンティティは、
伝送されるべきデータを含む第１ＲＲＣメッセージを上位レイヤエンティティから受け取り、
第１ＲＲＣメッセージがランダム・アクセス・プロセスで送信されるべきであることを示すために使用される第１ランダム・アクセス・プリアンブルを決定する
よう更に構成される。
【００４８】
任意に、ＭＡＣエンティティは、
下位レイヤエンティティから、通信装置に割り当てられているリソースを含む、第１ランダム・アクセス・プリアンブルに応答する応答メッセージを受け取り、
リソースが第１ＲＲＣメッセージのサイズを満足する場合に、第１ＲＲＣメッセージを下位レイヤエンティティへ送信する
よう更に構成される。
【００４９】
任意に、ＭＡＣエンティティは、
リソースが第１ＲＲＣメッセージのサイズを満足しない場合に、第１ＲＲＣメッセージがランダム・アクセス・プロセスで送信され得ないことを示すために使用される第２指示情報を上位レイヤエンティティへ送信するよう更に構成される。
【００５０】
任意に、ＭＡＣエンティティは、
送信されるべきデータを含まない第２ＲＲＣメッセージを上位レイヤエンティティから受け取り、
第２ＲＲＣメッセージを下位レイヤエンティティへ送信する
よう更に構成される。
【００５１】
本願の第８の態様は、ＲＲＣエンティティを提供し、ＲＲＣエンティティは、第４の態様における方法を実装するよう構成されてよい。例えば、ＲＲＣエンティティは、
伝送されるべきデータがランダム・アクセス・プロセスで伝送されるべきであること示すために使用される第１指示情報を下位レイヤエンティティへ送信し、
下位レイヤエンティティによって返された通信装置のカバレッジレベルを受け取り、
通信装置の前記カバレッジレベルによってサポートされるデータ量が、伝送されるべきデータを含む第１ＲＲＣメッセージのサイズを満足する場合に、第１ＲＲＣメッセージを下位レイヤエンティティへ送信する
よう構成される。
【００５２】
任意に、ＲＲＣエンティティは、
第１ＲＲＣメッセージがランダム・アクセス・プロセスで送信され得ないことを示すために使用される、下位レイヤエンティティによって送信された第２指示情報を受け取り、
送信されるべきデータを含まない第２ＲＲＣメッセージを下位レイヤエンティティへ送信する
よう更に構成される。
【００５３】
任意に、ＲＲＣエンティティは、
通信装置のカバレッジレベルによってサポートされるデータ量が第１ＲＲＣメッセージのサイズを満足しない場合に、送信されるべきデータを含まない第２ＲＲＣメッセージを下位レイヤエンティティへ送信するよう更に構成される。
【００５４】
本願は、第５の態様又は第７の態様のいずれかの実施で提供されるＭＡＣエンティティを含む通信装置を更に提供する。
【００５５】
本願は、第６の態様又は第８の態様のいずれかの実施で提供されるＲＲＣエンティティを含む通信装置を更に提供する。
【００５６】
本願は、第５の態様のいずれかの実施で提供されるＭＡＣエンティティと、第６の態様のいずれかの実施で提供されるＲＲＣエンティティとを含む通信装置を更に提供する。
【００５７】
本願は、第７の態様のいずれかの実施で提供されるＭＡＣエンティティと、第８の態様のいずれかの実施で提供されるＲＲＣエンティティとを含む通信装置を更に提供する。
【００５８】
本願の第９の態様は、コンピュータ命令を記憶するよう構成されたメモリと、コンピュータ命令を実行して、第１の態様乃至第４の態様におけるいずれかの方法を実装するよう構成されたプロセッサとを含む通信装置を提供する。
【００５９】
本願の第１０の態様は、コンピュータ命令を記憶するよう構成されたメモリと、コンピュータ命令を実行して、第５の態様乃至第８の態様におけるいずれかのエンティティの機能を実装するよう構成されたプロセッサとを含む通信装置を提供する。
【００６０】
通信装置は、端末、通信チップ、ベースバンドチップ、又はシステム・オン・ア・チップ（system-on-a-chip）チップであってよい。
【００６１】
第９の態様又は第１０の態様に従う通信装置には、メモリに記憶されている実行可能命令、すなわち、コンピュータプログラムを実行するよう構成された少なくとも１つのプロセッサが存在する。
【００６２】
本願の第１１の態様は、読み出し可能な記憶媒体及びコンピュータ命令を含む読み出し可能な記憶媒体を更に提供し、コンピュータプログラムは、第１の態様のいずれかの実施解決法で提供される通信装置のランダム・アクセス方法を実装するために使用される。
【００６３】
本願の第１２の態様は、読み出し可能な記憶媒体及びコンピュータ命令を含む読み出し可能な記憶媒体を更に提供し、コンピュータプログラムは、第２の態様のいずれかの実施解決法で提供される通信装置のランダム・アクセス方法を実装するために使用される。
【００６４】
本願の第１３の態様は、読み出し可能な記憶媒体及びコンピュータ命令を含む読み出し可能な記憶媒体を更に提供し、コンピュータプログラムは、第３の態様のいずれかの実施解決法で提供される通信装置のランダム・アクセス方法を実装するために使用される。
【００６５】
本願の第１４の態様は、読み出し可能な記憶媒体及びコンピュータ命令を含む読み出し可能な記憶媒体を更に提供し、コンピュータプログラムは、第４の態様のいずれかの実施解決法で提供される通信装置のランダム・アクセス方法を実装するために使用される。
【００６６】
本願の第１５の態様は、コンピュータ命令が、読み出し可能な記憶媒体に記憶されており、通信装置の少なくとも１つのプロセッサが、読み出し可能な記憶媒体からコンピュータ命令を読み出し、コンピュータ命令を実行して、通信装置が、第１の態様のいずれかの実施に従う通信装置のランダム・アクセス方法を実行することを可能にするところのプログラム製品を提供する。
【００６７】
本願の第１６の態様は、コンピュータ命令が、読み出し可能な記憶媒体に記憶されており、通信装置の少なくとも１つのプロセッサが、読み出し可能な記憶媒体からコンピュータ命令を読み出し、コンピュータ命令を実行して、通信装置が、第２の態様のいずれかの実施に従う通信装置のランダム・アクセス方法を実行することを可能にするところのプログラム製品を提供する。
【００６８】
本願の第１７の態様は、コンピュータ命令が、読み出し可能な記憶媒体に記憶されており、通信装置の少なくとも１つのプロセッサが、読み出し可能な記憶媒体からコンピュータ命令を読み出し、コンピュータ命令を実行して、通信装置が、第３の態様のいずれかの実施に従う通信装置のランダム・アクセス方法を実行することを可能にするところのプログラム製品を提供する。
【００６９】
本願の第１８の態様は、コンピュータ命令が、読み出し可能な記憶媒体に記憶されており、通信装置の少なくとも１つのプロセッサが、読み出し可能な記憶媒体からコンピュータ命令を読み出し、コンピュータ命令を実行して、通信装置が、第４の態様のいずれかの実施に従う通信装置のランダム・アクセス方法を実行することを可能にするところのプログラム製品を提供する。
【００７０】
本願で提供される通信装置のランダム・アクセス方法、装置、及び記憶媒体に従って、適切なランダム・アクセス・プリアンブルを決定し、伝送されるべきデータを運ぶＲＲＣメッセージをランダム・アクセス・プロセスで送信し、それによってアーリーデータ伝送を実装するために、通信装置のカバレッジレベルによってサポートされるデータ量が第１ＲＲＣメッセージのサイズを満足するかどうかが判定される。このようにして、アーリーデータ伝送プロシージャと従来のランダム・アクセス・プロシージャとの間でフレキシブルスイッチングが実行され、それによって、通信装置の電力消費及び伝送レイテンシを減らすのを助ける。その上、上位レイヤエンティティとの複数回のシグナリング交換を回避し、それによって、シグナリング・オーバヘッドを低減しかつ伝送効率を改善するために、ＭＡＣエンティティは、カバレッジレベルに基づいて、データ伝送をランダム・アクセス・プロセスで実行すべきかどうかを判定する。カバレッジレベルによってサポートされるデータ量を満足しないＲＲＣメッセージが生成され、ＲＲＣメッセージがその後のプロセスで再び生成される必要があるという問題を回避し、それによって伝送効率を改善するために、任意に、ＲＲＣエンティティは、ＭＡＣエンティティからカバレッジレベルを取得し、データ伝送をランダム・アクセス・プロセスで実行すべきかどうかを判定し、そして、判定結果に基づいて、対応するＲＲＣメッセージを生成してよい。
【図面の簡単な説明】
【００７１】
【図１】ランダム・アクセス・フェーズでのデータ伝送の略フローチャートである。
【図２】本願に従う通信装置のランダム・アクセス方法の適用シナリオの概略図である。
【図３】本願に従う通信装置のランダム・アクセス方法の実施例１の略相互作用図である。
【図４】本願に従う通信装置のランダム・アクセス方法の実施例２の略相互作用図である。
【図５】本願に従う通信装置のランダム・アクセス方法の実施例３の略相互作用図である。
【図６】本願に従う通信装置の実施例１の略構造図である。
【図７】本願に従う通信装置の実施例１の略構造図である。
【発明を実施するための形態】
【００７２】
図１は、ランダム・アクセス・フェーズでのデータ伝送の略フローチャートである。ＮＢ−ＩｏＴシステム及びＭＴＣシステムでは、図１に示されるように、ランダム・アクセス・フェーズでのデータ伝送のプロシージャは、次のとおりである。
【００７３】
０：基地局は、ランダム・アクセス・コンフィグレーションを実行する。基地局は、ランダム・アクセス・プロセスでのデータ伝送の関連するコンフィグレーションをブロードキャストする。ランダム・アクセス・プロセスでのデータ伝送は、アーリーデータ伝送（early  data  transmission，ＥＤＴ）と呼ばれることがある。このコンフィグレーションは、ＥＤＴの関連するコンフィグレーションとして理解されてよい。関連するコンフィグレーションは、各カバレッジレベルによってサポートされるＥＤＴのアップリンクデータ量の制御閾値（transport  block  size，ＴＢＳ）を含む。
【００７４】
ＵＥは、ＵＥのアップリンクデータ量及びカバレッジレベルに基づいて、ＥＤＴを実行すべきかどうかを判定する。データ量が現在のカバレッジレベルのデータ量制御閾値よりも多い場合には、ＵＥは、従来のランダム・アクセス・プロシージャを開始する。データ量が現在のカバレッジレベルのデータ量制御閾値以下である場合には、ＵＥは、次のステップ１でＥＤＴを開始する。
【００７５】
１：ＵＥは、ランダム・アクセスを開始し、プリアンブルを使用することによって、アーリーデータ伝送が現在のランダム・アクセス・プロセスで実行されるべきであることを示す。これは、ＵＥが、特定のランダム・アクセス・リソースを使用してランダム・アクセスを開始することを意味し、更には、このランダム・アクセスがＥＤＴプロシージャであることを示す。
【００７６】
２：基地局は、アップリンクリソースを運ぶランダム・アクセス・レスポンス（Random  Access  Response，ＲＡＲ）を返す。基地局は、ＵＥによって送信されたランダム・アクセス・プリアンブルに基づいてＲＡＲにより応答し、ＲＡＲに対して、アップリンクデータ伝送のために使用されるリソース（ＵＬ  ｇｒａｎｔ）を加える。リソースは、ステップ０でのブロードキャストＴＢＳと等しくなくてもよい。
【００７７】
３：ＵＥは、アップリンクリソースでＲＲＣメッセージを送信する。これは、ＵＥが、ＲＡＲ内のＵＬ  ｇｒａｎｔに基づいて、メッセージ３（ＭＳＧ３）においてデータを加えるべきかどうかを判定することを意味する。ＵＬ  ｇｒａｎｔがアップリンクデータを運ぶには不十分である場合には、ＵＥは、ＲＲＣ接続をセットアップし始めるように、従来のＲＲＣ接続セットアップ要求メッセージを送信する。ＵＬ  ｇｒａｎｔがアップリンクデータを運ぶのに十分である場合には、ＵＥは、メッセージ３において、データを含むＲＲＣメッセージを送信する。
【００７８】
４：ダウンリンクデータが存在する場合に、基地局は、ダウンリンクデータをＵＥへ送信する。データを運ぶメッセージ３を受信した後、基地局は、アップリンクデータをコアネットワークに提示する。コアネットワークが、ＵＥへ送信されるべきダウンリンクデータを有している場合には、基地局は、メッセージ４においてＵＥへダウンリンクデータを伝えることを選択し、ＵＥがメッセージ４を受信した後にアイドル状態に入ることを可能にし得る。
【００７９】
従来のランダム・アクセス・プロセスでは、無線リソース制御（Radio  Resource  Control，ＲＲＣ）接続がセットアップされるべきである場合に、端末のＲＲＣレイヤは、通常、ＲＲＣ接続セットアップ要求メッセージを準備し、次いでＲＲＣ接続セットアップ要求メッセージを伝送のためにＭＡＣレイヤに提示する。ＲＲＣメッセージを送信するために、ＭＡＣレイヤは、ランダム・アクセスを開始し、メッセージ３において基地局へＲＲＣメッセージを送信し、メッセージ４においてダウンリンクＲＲＣ接続セットアップメッセージを受信する。ランダム・アクセスが成功する場合には、ＭＡＣレイヤは、ＲＲＣレイヤに通知し、対応するメッセージをＲＲＣレイヤに提示する。ランダム・アクセスが心配する場合には、例えば、競合解除が失敗するか、あるいは、端末が負荷理由によりネットワークにアクセスすることを一時的に認められない場合には、ＭＡＣレイヤは、ランダム・アクセス失敗をＲＲＣレイヤに通知する。
【００８０】
以下は、ＲＲＣレイヤ、ＭＡＣレイヤ、及び他のレイヤの機能と、ＥＤＴプロシージャにおけるレイヤ間相互作用の実施とを詳細に記載する。
【００８１】
本願では、ＭＡＣエンティティ及びＭＡＣレイヤは夫々、通信装置内にあって、物理レイヤに対する制御及び接続に関与する媒体を表し、ＲＲＣエンティティ、ＲＲＣ、ＲＲＣレイヤ、ＲＲＣプロトコルレイヤ、などは夫々、通信装置内にあって、無線リソース制御を実装する機能エンティティを表すことが理解されるべきである。具体的な名称は、本願において制限されない。通信装置は、端末、ＵＥ、などであってよく、あるいは、携帯電話機、コンピュータ、様々なセンサ、又は通信チップのような、通信機能を含む特定のデバイスであってよい。
【００８２】
上記の説明に基づいて、本願は、通信装置のランダム・アクセス方法を提供する。方法は、ＲＲＣエンティティとＭＡＣエンティティとの間にあって、アーリーデータ伝送プロシージャに適している相互作用モードを提供する。
【００８３】
本願で提供される解決法は、２Ｇシステム、３Ｇ通信システム、４Ｇ通信システム、５Ｇシステム、及びワイヤレス・ローカル・エリア・ネットワークのような様々な無線通信システムに適用され、特に、端末の電力消費が低くかつ複雑度が低い無線通信システム、例えば、ナローバンド・インターネット・オブ・シングス（NarrowBand  Internet  of  Things，ＮＢ−ＩｏＴ）ネットワーク及びＭＴＣネットワークに適用されてよい。図２は、本願に従う通信装置のランダム・アクセス方法の適用シナリオの概略図である。図２に示されるように、シナリオは、ネットワークデバイス（例えば、基地局）、及びネットワークデバイスへ接続された様々なタイプの端末、及びまとめて通信デバイスと呼ばれ得る携帯電話機、コンピュータ、様々なセンサ、又は通信チップのような、通信機能を含む特定のデバイスを含む。本願における通信装置は、ＲＲＣエンティティ及びＭＡＣエンティティを含む。ＭＡＣエンティティ及びＲＲＣは、分散した様態で配置されてよい。これは、本願において制限されない。本願の全ての実施形態で、伝送されるべきデータ、送信されるべきデータ、サービスデータ、データ、などは、同じ意味を有している。
【実施例１】
【００８４】
図３は、本願に従う通信装置のランダム・アクセス方法の実施例１の略相互作用図である。図３に示されるように、この解決法では、ＲＲＣエンティティは、毎回１つのＲＲＣメッセージを生成し、ＭＡＣエンティティは、最初のフェーズでアーリーデータ伝送（early  data  transmission，略してＥＤＴ）を開始すべきかどうか、すなわち、ランダム・アクセス・プロセスでデータ伝送を実行すべきかどうかを判定する。方法の具体的な相互作用プロセスは、次のとおりである。
【００８５】
ステップ１：ＲＲＣエンティティは、伝送されるべきデータを含むＲＲＣメッセージを生成し、伝送されるべき含むＲＲＣメッセージをＭＡＣエンティティへ送信する。
【００８６】
本願では、ＲＲＣエンティティとＭＡＣエンティティとの間で交換される情報は、サービスデータ及びシグナリングに分類され得る。伝送されるべきデータは、アップロードするためにＲＲＣメッセージで運ばれる必要があるサービスデータであり、ＲＲＣシグナリングではない。ＲＲＣエンティティとＭＡＣエンティティとの間の情報交換はまた、情報転送又は情報配信として理解されてもよい。これは、本願において制限されない。
【００８７】
ステップ２：ＲＲＣエンティティによって送信される、伝送されるべきデータを含むＲＲＣメッセージを受信するとき、ＭＡＣエンティティは、カバレッジレベルに対応するデータ量が、伝送されるべきデータを含むＲＲＣメッセージを満足するかどうかを判定してよい。
【００８８】
このステップの具体的な手段として、伝送されるべきデータを含むＲＲＣメッセージがランダム・アクセス・プロセスをトリガし、ＭＡＣエンティティは、測定を通じて取得されたＲＳＲＰに基づいて通信装置のカバレッジレベルを決定し、基地局によって事前設定された、カバレッジレベルに対応するデータ量制御閾値に基づいて、通信装置のカバレッジレベルに対応するデータ量が伝送されるべきデータを含むＲＲＣメッセージを伝送するのに十分であるかどうかを判定する。具体的に言えば、ＭＡＣエンティティは、伝送されるべきデータを含むＲＲＣメッセージのサイズがカバレッジレベルに対応するデータ量制御閾値よりも大きいかどうかを判定する。伝送されるべきデータを含むＲＲＣメッセージがカバレッジレベルに対応するデータ量制御閾値よりも大きい場合には、カバレッジレベルに対応するデータ量は、伝送されるべきデータを含むＲＲＣメッセージを満足せず、すなわち、ＭＡＣエンティティは、アーリーデータ伝送を実行しないと、すなわち、現在のランダム・アクセス・プロセスでデータを伝送しないと決定し、あるいは、伝送されるべきデータを含むＲＲＣメッセージのサイズがカバレッジレベルに対応するデータ量制御閾値以下である場合には、カバレッジレベルに対応するデータ量は、伝送されるべきデータを含むＲＲＣメッセージを満足し、すなわち、ＭＡＣエンティティは、アーリーデータ伝送を実行すると、すなわち、現在のランダム・アクセス・プロセスでデータを伝送すると決定する。
【００８９】
上位レイヤエンティティとの複数回のシグナリング交換を回避し、それによって、シグナリング・オーバヘッドを低減しかつ伝送効率を改善するために、ＭＡＣエンティティは、カバレッジレベルに基づいて、ランダム・アクセス・プロセスでデータ伝送を実行すべきかどうかを判定する。
【００９０】
ステップ３：ＭＡＣエンティティの判定結果が、カバレッジレベルに対応するデータ量が伝送されるべきデータを含むＲＲＣメッセージを満足しないことである場合に、ＭＡＣエンティティは、ＲＲＣエンティティへ指示情報を返し、このとき、指示情報は、データがランダム・アクセス・プロセスで伝送されるべきでないことを示すために使用される。
【００９１】
指示情報の主な目的は、ＭＡＣエンティティの判定結果が、データがランダム・アクセス・プロセスで伝送不可能であることであることを、ＲＲＣエンティティに通知することであることが理解され得る。指示情報の機能は、複数の方法で表現される可能性があることが理解され得る。例えば、指示情報は、伝送されるべきデータを含むＲＲＣメッセージがランダム・アクセス・プロセスで送信され得ないことを示すために使用されてよい。他の例として、指示情報は、現在のカバレッジレベルによってサポートされるデータ量が伝送されるべきデータを含むＲＲＣメッセージのサイズを満足しないことを示すために使用されてよい。他の例として、指示情報は、伝送されるべきデータを含むＲＲＣメッセージが伝送不可能であることを示すために使用されてよい。他の例として、指示情報は、データを含まないＲＲＣメッセージが必要とされることを示すために使用されてよい。他の例として、第１指示情報は、アーリーデータ伝送プロシージャが現在のランダム・アクセス・プロセスでは実行されるべきではないこと、又はデータが現在のランダム・アクセス・プロセスでは伝送不可能であることを示すために使用されてよい。これは、本願において制限されない。
【００９２】
ステップ４：データがランダム・アクセス・プロセスで伝送されるべきでないことを示す指示情報を受信した後、ＲＲＣエンティティは、伝送されるべきデータを含まないＲＲＣメッセージを生成し、すなわち、従来のＲＲＣメッセージを生成し、従来のＲＲＣメッセージをＭＡＣエンティティへ送信する。
【００９３】
ステップ５：ＭＡＣエンティティは、従来のＲＲＣメッセージに基づいてランダム・アクセスを実行し、具体的に言えば、ランダム・アクセス・プリアンブルを送信し、基地局によって返されたランダム・アクセス・レスポンスを受信し、ランダム・アクセス・レスポンス内のアップリンクリソースで、伝送されるべきデータを含まないＲＲＣメッセージを送信する。
【００９４】
ステップ６：ＭＡＣエンティティの判定結果が、カバレッジレベルに対応するデータ量が伝送されるべきデータを含むＲＲＣメッセージを満足することである場合に、ＭＡＣエンティティは、アーリーデータ伝送プロセスを開始するように、特定のランダム・アクセス・プリアンブルを下位レイヤエンティティへ送信する。
【００９５】
この解決法は、ステップ６でのランダム・アクセス・プリアンブルがステップ５でのランダム・アクセス・プリアンブルとは異なることを意味する。
【００９６】
このステップで、ＭＡＣエンティティは、特定のランダム・アクセス・プリアンブルを決定し、特定のランダム・アクセス・プリアンブルを下位レイヤエンティティへ送信する。ランダム・アクセス・プリアンブルは、データが現在のランダム・アクセス・プロセスで伝送される必要があることを示す。具体的な指示方法は、本願において制限されない。このようにして、下位レイヤエンティティが基地局と相互作用するとき、基地局は、ランダム・アクセス・プリアンブルを使用することによって、データが現在のランダム・アクセスで伝送される必要があると決定することができ、リソースを通信デバイスに割り当てる。ＭＡＣエンティティは、下位レイヤエンティティから、基地局によって返されたランダム・アクセス・レスポンスＲＡＲを受信し、このとき、ＲＡＲはアップリンクリソースを運ぶ。ＭＡＣエンティティは、アップリンクリソースで、伝送されるべきデータを含むＲＲＣメッセージを送信するか、あるいは、基地局によって割り当てられているアップリンクリソースの中から、伝送されるべきデータを含む全て又は一部のＲＲＣメッセージをアップロードするための適切なリソースを選択する。すなわち、ＭＡＣエンティティは、伝送されるべきデータを含むＲＲＣメッセージを図１に示されるメッセージ３において送信する。
【００９７】
ステップ６の後、任意に、ＭＡＣエンティティは更に、伝送されるべきデータがランダム・アクセス・プロセスで伝送可能であるかどうかを判定するために、ＲＡＲにおいて運ばれるリソースに基づいて再び判定を行ってもよい。具体的なプロセスは、続くステップ７から９に示される。
【００９８】
ステップ７：リソースが比較的に小さい場合には、ＭＡＣエンティティは、データがランダム・アクセス・プロセスで伝送不可能であることを示すために、ＲＲＣエンティティへ指示情報を送信する。
【００９９】
指示情報の目的はまた、リソースが第１ＲＲＣメッセージを伝送するのに不十分と判明することを示すこと、すなわち、設定されたアップリンクリソースが比較的に小さいことを示すことである。指示情報の機能は、複数の方法で表現される可能性があることが理解され得る。例えば、指示情報は、アップリンクリソースが第１ＲＲＣメッセージを伝送するには不十分であることを示すために使用されてよい。他の例として、指示情報は、伝送されるべきデータを含まない第２ＲＲＣメッセージが取得されるべきであることを示すために使用されてよい。他の例として、指示情報は、第１ＲＲＣメッセージが伝送に失敗することを示すために使用されてよい。他の例として、指示情報は、データが現在のランダム・アクセス・プロセスで伝送不可能であることを示すために使用されてよい。これは、本願において制限されない。
【０１００】
この解決法では、ＭＡＣエンティティが伝送されるべきデータを含むＲＲＣメッセージを送信し、設定されたアップリンクリソースが伝送されるべきデータを含むＲＲＣメッセージを伝送するには不十分であると気づくとき、ＭＡＣエンティティは、従来のＲＲＣメッセージが送信される必要があることをＲＲＣエンティティに示す必要がある。
【０１０１】
ステップ８：データがランダム・アクセス・プロセスで伝送不可能であることを示す指示情報を受信した後、ＲＲＣエンティティは、伝送されるべきデータを含まないＲＲＣメッセージを生成し、すなわち、従来のＲＲＣメッセージを生成し、従来のＲＲＣメッセージをＭＡＣエンティティへ送信する。
【０１０２】
ステップ９：ＭＡＣエンティティは、従来のＲＲＣメッセージを受信し、ランダム・アクセス・レスポンス内のアップリンクリソースで、伝送されるべきデータを含まない従来のＲＲＣメッセージを送信する。すなわち、ＭＡＣエンティティは、従来のＲＲＣメッセージを図１に示されるメッセージ３において送信する。
【０１０３】
この実施形態で提供される通信装置のランダム・アクセス方法は、ランダム・アクセス・プロセスにおけるＭＡＣエンティティとＲＲＣエンティティとの間の相互作用のための解決法を提供し、それにより、アーリーデータ伝送プロシージャと従来のランダム・アクセス・プロシージャとの間でフレキシブルスイッチングが実行され得る。その上、アーリーデータ伝送プロシージャは、従来のランダム・アクセス・プロセスへシームレスにロールバック可能であり、ランダム・アクセス・プリアンブルは再送される必要がなく、ランダム・アクセス・レスポンスは再び受信される必要がなく、それによって、シグナリング・オーバヘッドを低減し、通信装置の電力消費及び伝送レイテンシを低減することを助ける。
【実施例２】
【０１０４】
図４は、本願に従う通信装置のランダム・アクセス方法の実施例２の略相互作用図である。図３に示されるように、この解決法では、ＲＲＣエンティティは、同時に２つのＲＲＣメッセージを生成し、一方のＲＲＣメッセージは、伝送されるべきデータを含み、他方のメッセージは、伝送されるべきデータを含まない。ランダム・アクセス・プロセスでデータ伝送を実行すべきかどうかは、ＭＡＣエンティティによって決定される。方法の具体的な相互作用プロセスは、次のとおりである。
【０１０５】
ステップ１：ＲＲＣエンティティは、伝送されるべきデータを含むＲＲＣメッセージと、従来のＲＲＣメッセージとを生成し、伝送されるべき含むＲＲＣメッセージ及び従来のランダム・アクセスを同時にＭＡＣエンティティへ送信する。
【０１０６】
ステップ２：ＲＲＣエンティティによって送信される、伝送されるべきデータを含むＲＲＣメッセージ及び従来のＲＲＣメッセージを受信するとき、ＭＡＣエンティティは、カバレッジレベルに対応するデータ量が、伝送されるべきデータを含むＲＲＣメッセージを満足するかどうかを判定してよい。
【０１０７】
このステップの具体的な手段として、ＭＡＣエンティティは、測定を通じて取得されたＲＳＲＰに基づいて通信装置のカバレッジレベルを決定し、基地局によって事前設定された、カバレッジレベルに対応するデータ量制御閾値に基づいて、通信装置のカバレッジレベルに対応するデータ量が伝送されるべきデータを含むＲＲＣメッセージを伝送するのに十分であるかどうかを判定する。具体的に言えば、ＭＡＣエンティティは、伝送されるべきデータを含むＲＲＣメッセージのサイズがカバレッジレベルに対応するデータ量制御閾値よりも大きいかどうかを判定する。伝送されるべきデータを含むＲＲＣメッセージがカバレッジレベルに対応するデータ量制御閾値よりも大きい場合には、カバレッジレベルに対応するデータ量は、伝送されるべきデータを含むＲＲＣメッセージを満足せず、すなわち、ＭＡＣエンティティは、アーリーデータ伝送を実行しないと、すなわち、現在のランダム・アクセス・プロセスでデータを伝送しないと決定し、あるいは、伝送されるべきデータを含むＲＲＣメッセージのサイズがカバレッジレベルに対応するデータ量制御閾値以下である場合には、カバレッジレベルに対応するデータ量は、伝送されるべきデータを含むＲＲＣメッセージを満足し、すなわち、ＭＡＣエンティティは、アーリーデータ伝送を実行すると、すなわち、現在のランダム・アクセス・プロセスでデータを伝送すると決定する。
【０１０８】
ステップ３：ＭＡＣエンティティの判定結果が、カバレッジレベルに対応するデータ量が伝送されるべきデータを含むＲＲＣメッセージを満足しないことである場合に、ＭＡＣエンティティは、ＲＲＣエンティティへ指示情報を返し、このとき、指示情報は、データがランダム・アクセス・プロセスで伝送されるべきでないことを示すために使用される。
【０１０９】
ステップ４：ＭＡＣエンティティは、従来のＲＲＣメッセージに基づいてランダム・アクセスを実行し、具体的に言えば、ランダム・アクセス・プリアンブルを送信し、基地局によって返されたランダム・アクセス・レスポンスを受信し、ランダム・アクセス・レスポンス内のアップリンクリソースで、伝送されるべきデータを含まないＲＲＣメッセージを送信する。
【０１１０】
この実施形態でＲＲＣエンティティは、データがランダム・アクセス・プロセスで伝送されるべきでないことを示す指示情報を受信した後に再びＲＲＣメッセージを生成する必要がなく、ＭＡＣエンティティは、前に受信された従来のＲＲＣメッセージに基づいて、直接ランダム・アクセスを実行する。
【０１１１】
ステップ５：ＭＡＣエンティティの判定結果が、カバレッジレベルに対応するデータ量が伝送されるべきデータを含むＲＲＣメッセージを満足することである場合に、ＭＡＣエンティティは、アーリーデータ伝送プロセスを開始するように、特定のランダム・アクセス・プリアンブルを下位レイヤエンティティへ送信する。
【０１１２】
この解決法は、ＭＡＣエンティティが、特定のランダム・アクセス・プリアンブルを決定し、特定のランダム・アクセス・プリアンブルを下位レイヤエンティティへ送信することを意味する。ランダム・アクセス・プリアンブルは、データが現在のランダム・アクセス・プロセスで伝送される必要があることを示す。具体的な指示方法は、本願において制限されない。このようにして、下位レイヤエンティティが基地局と相互作用するとき、基地局は、ランダム・アクセス・プリアンブルを使用することによって、データが現在のランダム・アクセスで伝送される必要があると決定することができ、リソースを通信デバイスに割り当てる。ＭＡＣエンティティは、下位レイヤエンティティから、基地局によって返されたランダム・アクセス・レスポンスＲＡＲを受信し、このとき、ＲＡＲはアップリンクリソースを運ぶ。ＭＡＣエンティティは、アップリンクリソースで、伝送されるべきデータを含むＲＲＣメッセージを送信するか、あるいは、基地局によって割り当てられているアップリンクリソースの中から、伝送されるべきデータを含む全て又は一部のＲＲＣメッセージをアップロードするための適切なリソースを選択する。すなわち、ＭＡＣエンティティは、伝送されるべきデータを含むＲＲＣメッセージを図１に示されるメッセージ３において送信する。
【０１１３】
ステップ５の後、任意に、ＭＡＣエンティティは更に、伝送されるべきデータがランダム・アクセス・プロセスで伝送可能であるかどうかを判定するために、ＲＡＲにおいて運ばれるリソースに基づいて再び判定を行ってもよい。具体的なプロセスは、続くステップ６及び７に示される。
【０１１４】
ステップ６：リソースが比較的に小さい場合には、ＭＡＣエンティティは、データがランダム・アクセス・プロセスで伝送不可能であることを示すために、ＲＲＣエンティティへ指示情報を送信する。
【０１１５】
このステップでの指示情報の意味は、実施例１におけるステップ７での指示情報それと同様である。詳細は、ここで再び記載されない。
【０１１６】
この解決法では、ＭＡＣエンティティが伝送されるべきデータを含むＲＲＣメッセージを送信し、設定されたアップリンクリソースが伝送されるべきデータを含むＲＲＣメッセージを伝送するには不十分であると気づくとき、ＭＡＣエンティティは、データがランダム・アクセス・プロセスで伝送不可能であることを示しさえすればよく、従来のＲＲＣメッセージが生成される必要があることをＲＲＣエンティティに示す必要はない。
【０１１７】
ステップ７：ＭＡＣエンティティは、前に受信された従来のＲＲＣメッセージに基づいてランダム・アクセス・レスポンス内のアップリンクリソースで、伝送されるべきデータを含まない従来のＲＲＣメッセージを送信する。すなわち、ＭＡＣエンティティは、従来のＲＲＣメッセージを図１に示されるメッセージ３において送信する。
【０１１８】
この実施形態で提供される通信装置のランダム・アクセス方法は、ランダム・アクセス・プロセスにおけるＭＡＣエンティティとＲＲＣエンティティとの間の相互作用のための解決法を提供する。ＭＡＣエンティティは、データ量制御閾値及びリソースのサイズに基づいて、２つのＲＲＣメッセージのうちのどちらか一方が伝送されるべきであるかを決定し、ランダム・アクセス・プロセスにおいてＲＲＣメッセージを生成する必要がなく、それにより、アーリーデータ伝送プロシージャと従来のランダム・アクセス・プロシージャとの間でフレキシブルスイッチングが実行され得る。その上、アーリーデータ伝送プロシージャは、従来のランダム・アクセス・プロセスへシームレスにロールバック可能であり、ランダム・アクセス・プリアンブルは再送される必要がなく、ランダム・アクセス・レスポンスは再び受信される必要がなく、それによって、シグナリング・オーバヘッドを低減し、通信装置の電力消費及び伝送レイテンシを低減することを助ける。
【実施例３】
【０１１９】
図５は、本願に従う通信装置のランダム・アクセス方法の実施例３の略相互作用図である。図５に示されるように、この解決法では、初期フェーズで従来のランダム・アクセス又はＥＤＴを開始すべきかどうかが、ＲＲＣエンティティによって決定される。方法の具体的な相互作用プロセスは、次のとおりである。
【０１２０】
ステップ１：ＲＲＣエンティティは、データがランダム・アクセス・プロセスで伝送される必要があることを示すように、指示情報をＭＡＣエンティティへ送る。
【０１２１】
この解決法では、指示情報の意味は、上記の解決法における指示情報のそれとは異なっている。ここで、ＲＲＣエンティティによってＭＡＣエンティティへ指示情報を送る目的は、カバレッジレベルを取得することである。従って、伝送されるべきデータがランダム・アクセス・プロセスで伝送されるべきであることを示すことに加えて、指示情報は、カバレッジレベルが取得されるべきであることを示すために更に使用されてよく、あるいは、指示情報は、ＭＡＣエンティティにカバレッジレベルをＲＲＣエンティティへ返すよう指示するために更に使用されてよい。これは、本願において制限されない。
【０１２２】
ステップ２：ＭＡＣエンティティが指示情報を受け取った後、ＭＡＣエンティティは、測定を通じて取得されたＲＳＲＰに基づいて通信装置のカバレッジレベルを決定し、ＭＡＣエンティティは、カバレッジレベルをＲＲＣエンティティへ送る。
【０１２３】
ステップ３：ＲＲＣエンティティは、受け取られたカバレッジレベルに基づいて、カバレッジレベルに対応するデータ量が伝送されるべきデータを含むＲＲＣメッセージを満足するかどうかを判定する。
【０１２４】
このステップの具体的な意味として、ＲＲＣエンティティは、カバレッジレベルに対応する、基地局によって事前設定されたデータ量制御閾値に基づいて、通信装置のカバレッジレベルに対応するデータ量が伝送されるべきデータを含むＲＲＣメッセージを伝送するのに十分であるかどうかを判定する。具体的に言えば、ＲＲＣエンティティは、伝送されるべきデータを含むＲＲＣメッセージのサイズがカバレッジレベルに対応するデータ量制御閾値よりも大きいかどうかを判定する。伝送されるべきデータを含むＲＲＣメッセージがカバレッジレベルに対応するデータ量制御閾値よりも大きい場合には、カバレッジレベルに対応するデータ量は、伝送されるべきデータを含むＲＲＣメッセージを満足せず、すなわち、ＲＲＣエンティティは、アーリーデータ伝送を実行しないと、すなわち、現在のランダム・アクセス・プロセスでデータを伝送しないと決定し、あるいは、伝送されるべきデータを含むＲＲＣメッセージのサイズがカバレッジレベルに対応するデータ量制御閾値以下である場合には、カバレッジレベルに対応するデータ量は、伝送されるべきデータを含むＲＲＣメッセージを満足し、すなわち、ＲＲＣエンティティは、アーリーデータ伝送を実行すると、すなわち、現在のランダム・アクセス・プロセスでデータを伝送すると決定する。その上、カバレッジレベルによってサポートされるデータ量を満足しないＲＲＣメッセージが生成され、ＲＲＣメッセージが、その後のプロセスで再び生成される必要があるという問題を回避し、それによって、伝送効率を改善するために、ＲＲＣエンティティは、ＭＡＣエンティティからカバレッジレベルを取得し、データ伝送をランダム・アクセス・プロセスで実行すべきかどうかを判定し、そして、判定結果に基づいて、対応するＲＲＣメッセージを生成し得る。
【０１２５】
ステップ４：ＲＲＣエンティティの判定結果が、カバレッジレベルに対応するデータ量が伝送されるべきデータを含むＲＲＣメッセージを満足しないことである場合に、ＲＲＣエンティティは、従来のＲＲＣメッセージをＭＡＣエンティティへ送信する。
【０１２６】
ステップ５：ＭＡＣエンティティは、従来のＲＲＣメッセージに基づいてランダム・アクセスを実行し、具体的に言えば、ランダム・アクセス・プリアンブルを送信し、基地局によって返されたランダム・アクセス・レスポンスを受信し、ランダム・アクセス・レスポンス内のアップリンクリソースで、伝送されるべきデータを含まないＲＲＣメッセージを送信する。
【０１２７】
ステップ６：ＲＲＣエンティティの判定結果が、カバレッジレベルに対応するデータ量が伝送されるべきデータを含むＲＲＣメッセージを満足することである場合に、ＲＲＣエンティティは、伝送されるべきデータを含むＲＲＣメッセージをＭＡＣエンティティへ送信する。
【０１２８】
ステップ７：ＭＡＣエンティティは、伝送されるべきデータを含むＲＲＣメッセージを受信し、アーリーデータ伝送プロセスを開始する。
【０１２９】
ＭＡＣエンティティは、特定のランダム・アクセス・プリアンブルを決定し、特定のランダム・アクセス・プリアンブルを下位レイヤエンティティへ送信する。ランダム・アクセス・プリアンブルは、データが現在のランダム・アクセス・プロセスで伝送される必要があることを示す。具体的な指示方法は、本願において制限されない。このようにして、下位レイヤエンティティが基地局と相互作用するとき、基地局は、ランダム・アクセス・プリアンブルを使用することによって、データが現在のランダム・アクセスで伝送される必要があると決定することができ、リソースを通信デバイスに割り当てる。ＭＡＣエンティティは、下位レイヤエンティティから、基地局によって返されたランダム・アクセス・レスポンスＲＡＲを受信し、このとき、ＲＡＲはアップリンクリソースを運ぶ。ＭＡＣエンティティは、アップリンクリソースで、伝送されるべきデータを含むＲＲＣメッセージを送信するか、あるいは、基地局によって割り当てられているアップリンクリソースの中から、伝送されるべきデータを含む全て又は一部のＲＲＣメッセージをアップロードするための適切なリソースを選択する。すなわち、ＭＡＣエンティティは、伝送されるべきデータを含むＲＲＣメッセージを図１に示されるメッセージ３において送信する。
【０１３０】
実施例１及び実施例２と同様に、任意に、ステップ７の具体的な実施において、ＭＡＣエンティティは、基地局によって割り当てられているリソースに基づいて、伝送されるべきデータを含むＲＲＣメッセージを伝送してよい。ＭＡＣエンティティは更に、伝送されるべきデータがランダム・アクセス・プロセスで伝送可能であるかどうかを判定するように、ＲＡＲで運ばれるリソースに基づいて再び判定を実行してもよい。具体的なプロセスは、実施例１及び実施例２におけるそれらと同様である。リソースが比較的に小さい場合には、ＭＡＣエンティティは、データがランダム・アクセス・プロセスで伝送不可能であることを示すために、具体的に言えば、設定されたアップリンクリソースが比較的に小さく、伝送されるべきデータを含むＲＲＣメッセージを伝送するには不十分であることを示すために、ＲＲＣエンティティへ指示を送信する。ＭＡＣエンティティが伝送されるべきデータを含むＲＲＣメッセージを送信し、設定されたアップリンクリソースが伝送されるべきデータを含むＲＲＣメッセージを伝送するには不十分であると気づくとき、ＭＡＣエンティティは、従来のＲＲＣメッセージが送信される必要があることをＲＲＣエンティティに示す必要がある。データがランダム・アクセス・プロセスで伝送不可能であることを示す指示情報を受信した後、ＲＲＣエンティティは、伝送されるべきデータを含まない従来のＲＲＣメッセージを生成し、従来のＲＲＣメッセージをＭＡＣエンティティへ送信する。ＭＡＣエンティティは、従来のＲＲＣメッセージを受信し、ランダム・アクセス・レスポンス内のアップリンクリソースで、伝送されるべきデータを含まない従来のＲＲＣメッセージを送信する。すなわち、ＭＡＣエンティティは、従来のＲＲＣメッセージを図１に示されるメッセージ３において送信する。
【０１３１】
この実施形態で提供される通信装置のランダム・アクセス方法は、ランダム・アクセス・プロセスにおけるＭＡＣエンティティとＲＲＣエンティティとの間の相互作用のための解決法を提供する。上記の２つの解決法とは異なって、この解決法では、ＲＲＣエンティティがアーリーデータ伝送を実行すべきかどうかを決定し、ＲＲＣレイヤは、通信装置のカバレッジレベルを知った後に決定を行って、決定結果に基づいて、ＭＡＣエンティティへ送られるＲＲＣメッセージが伝送されるべきデータを含むかどうかを決定し、それにより、アーリーデータ伝送プロシージャと従来のランダム・アクセス・プロシージャとの間でフレキシブルスイッチングが実行され得る。その上、アーリーデータ伝送プロシージャは、従来のランダム・アクセス・プロセスへシームレスにロールバック可能であり、ランダム・アクセス・プリアンブルは再送される必要がなく、ランダム・アクセス・レスポンスは再び受信される必要がなく、それによって、シグナリング・オーバヘッドを低減し、通信装置の電力消費及び伝送レイテンシを低減することを助ける。
【０１３２】
上記のいくつかの実施形態において、ＲＲＣエンティティは、伝送されるべきデータをＲＲＣメッセージに加え、ＲＲＣメッセージをＭＡＣエンティティへ伝送し、次いで、ランダム・アクセス・プロセスで、データを運ぶＲＲＣメッセージを伝送する。解決法の実際の適用プロセスでは、伝送されるべきデータがＭＡＣレイヤにあるとき、データをランダム・アクセス・プロセスで伝送すべきかどうかは、依然としてＭＡＣエンティティ又はＲＲＣエンティティによって決定されてよく、ＭＡＣエンティティがデータをランダム・アクセス・プロセスで伝送すると決定した後、ＭＡＣエンティティは、ＲＲＣエンティティによって転送されたＲＲＣメッセージを受信した後、伝送されるべきデータを伝送のためにＲＲＣメッセージに加えてよい。どのエンティティが伝送されるべきデータをＲＲＣメッセージに加えるかは、本願において制限されない。
【０１３３】
上記のいくつかの実施形態から、本願で提供される通信装置のランダム・アクセス方法では、サービスデータのような非シグナリングデータがランダム・アクセス・プロセスで伝送されるべきかどうかは、ＭＡＣエンティティによって決定されてよく、あるいは、ＲＲＣエンティティによって決定されてもよいことが分かる。上記の実施形態から、ランダム・アクセス方法は、少なくとも、次の具体的な実施解決法を含むことが分かる。
【０１３４】
具体的な実施解決法において、通信装置のＭＡＣエンティティは、第１ＲＲＣメッセージを上位レイヤエンティティから受け取り、このとき、第１ＲＲＣメッセージは、伝送されるべきデータを含み、ＭＡＣエンティティは、通信装置のカバレッジレベルによってサポートされるデータ量が第１ＲＲＣメッセージのサイズを満足しない場合に、第１ランダム・アクセス・プリアンブルを決定し、このとき、第１ランダム・アクセス・プリアンブルは、第１ＲＲＣメッセージがランダム・アクセス・プロセスで送信されるべきであることを示すために使用される。
【０１３５】
この解決法では、具体的な実施について、実施例１及び実施例２におけるステップ１及びステップ６から９を参照されたい。
【０１３６】
上位レイヤエンティティは、ＲＲＣエンティティであってよく、第１ＲＲＣメッセージは、ＲＲＣエンティティによってＭＡＣエンティティへ送られる。すなわち、ＲＲＣエンティティは、第１ＲＲＣメッセージを下位レイヤエンティティへ送信し、このとき、第１ＲＲＣメッセージは、伝送されるべきデータを含む。換言すれば、第１ランダム・アクセス・プリアンブルは、シグナリング以外のデータが現在のランダム・アクセス・プロセスで伝送されるべきであることを受信端に通知するために使用されてよい。第１ランダム・アクセス・プリアンブルの機能は、複数の方法で表現される可能性があることが理解され得る。例えば、第１ランダム・アクセス・プリアンブルは、伝送されるべきデータを運ぶＲＲＣメッセージがランダム・アクセス・プロセスで送信されるべきであることを示すために使用されてよい。他の例として、第１ランダム・アクセス・プリアンブルは、伝送されるべきデータがランダム・アクセス・プロセスで送信されるべきであることを示すために使用されてよい。他の例として、第１ランダム・アクセス・プリアンブルは、伝送されるべきデータがランダム・アクセス・プロセスでＲＲＣメッセージを使用することによって送信されるべきであることを示すために使用されてよい。他の例として、第１ランダム・アクセス・プリアンブルは、伝送されるべきデータがランダム・アクセス・プロセスでＭＳＧ３において送信されるべきであることを示すために使用されてよい。他の例として、第１ランダム・アクセス・プリアンブルは、伝送されるべきデータがランダム・アクセス・プロセスでメッセージを使用することによって送信されるべきであることを示すために使用されてよい。第１ランダム・アクセス・プリアンブルの機能の表現方法は、本願において制限されない。
【０１３７】
加えて、第１ランダム・アクセス・プリアンブル及び既存のランダム・アクセス・プリアンブルは、異なるリソースを使用してよく、それにより、受信端は、プリアンブルによって使用されているリソースを使用することによって、第１ランダム・アクセス・プリアンブルと既存のランダム・アクセス・プリアンブルとを区別することができる。リソース次元は、時間領域（プリアンブルを送るためのリソースの周期、期間、開始時間、など）、周波数領域（プリアンブルを送るために使用されるキャリア、サブキャリア、など）、符号領域（プリアンブルによって使用される符号語）、などを含む。リソース間の違いは、時間領域、周波数領域、及び符号領域のうちのいずれか１つ以上における違いであってよい。これは、本願において制限されない。ＭＡＣエンティティは、複数の方法で、第１ランダム・アクセス・プリアンブル及び既存のランダム・アクセス・プリアンブルによって使用され得るリソースを取得し、例えば、関連するコンフィグレーションを上位レイヤエンティティから取得してよい。これも制限されない。
【０１３８】
任意に、上記の解決法に基づいて、この解決法は、
ＭＡＣエンティティによって、下位レイヤエンティティから、通信装置に割り当てられているリソースを含む、第１ランダム・アクセス・プリアンブルに応答する応答メッセージを受け取ることと、
ＭＡＣエンティティによって、リソースが第１ＲＲＣメッセージのサイズを満足する場合に、第１ＲＲＣメッセージを下位レイヤエンティティへ送信することと
を更に含む。この解決法の具体的な実施について、上記の実施例１におけるステップ６での具体的な実施を参照されたい。
【０１３９】
任意に、上記の解決法のうちのいずれか１つに基づいて、この解決法は、
ＭＡＣエンティティによって、通信装置のカバレッジレベルによってサポートされるデータ量が第１ＲＲＣメッセージのサイズを満足しない場合に、第１ＲＲＣメッセージがランダム・アクセス・プロセスで送信され得ないことを示すために使用される第１指示情報を上位レイヤエンティティへ送信することを更に含む。この解決法では、ＲＲＣエンティティが上位レイヤエンティティである場合に、ＲＲＣエンティティは、下位レイヤエンティティによって送信された第１指示情報を受信し、このとき、第１指示情報は、第１ＲＲＣメッセージがランダム・アクセス・プロセスで送信され得ないことを示すために使用される。この解決法の具体的な実施について、上記の実施例１におけるステップ３から５での具体的な実施を参照されたい。
【０１４０】
任意に、上記の解決法のうちのいずれか１つに基づいて、この解決法は、
ＭＡＣエンティティによって、リソースが第１ＲＲＣメッセージのサイズを満足しない場合に、第１ＲＲＣメッセージがランダム・アクセス・プロセスで送信され得ないことを示すために使用される第２指示情報を上位レイヤエンティティへ送信することを更に含む。
【０１４１】
ＲＲＣエンティティは、下位レイヤエンティティによって送信された第２指示情報を受け取り、このとき、第２指示情報は、第１ＲＲＣメッセージがランダム・アクセス・プロセスで送信され得ないことを示すために使用される。
【０１４２】
結論として、通信装置のカバレッジレベルによってサポートされるデータ量が第１ＲＲＣメッセージのサイズを満足しないか、あるいは、通信装置に割り当てられているリソースが第１ＲＲＣメッセージのサイズを満足しない場合に、ＲＲＣエンティティは、第１ＲＲＣメッセージがランダム・アクセス・プロセスで送信され得ないことを示すために使用される指示情報を受信し得る。詳細については、実施例１における第１指示情報及び第２指示情報の説明を参照されたい。
【０１４３】
上記の解決法のうちのいずれか１つに基づいて、この解決法は、
ＲＲＣエンティティによって、第２ＲＲＣメッセージを下位レイヤエンティティへ送信することを更に含む。第２ＲＲＣメッセージは、送信されるべきデータを含まない。
【０１４４】
ＭＡＣエンティティは、上位レイヤエンティティから第２ＲＲＣメッセージを受信し、このとき、第２ＲＲＣメッセージは、送信されるべきデータを含まない。第２ＲＲＣメッセージは、上記の解決法における従来のＲＲＣメッセージであり、開始時に第１ＲＲＣメッセージとともに受信されてよく（実施例２におけるステップ１を参照）、あるいは、第２指示情報が上位レイヤエンティティへ送信された後に受信されてよい（実施例１におけるステップ４を参照）。
【０１４５】
ＭＡＣエンティティは、通信装置のカバレッジレベルによってサポートされるデータ量が第１ＲＲＣメッセージのサイズを満足しない場合に、第２ＲＲＣメッセージを下位レイヤエンティティへ送信し、あるいは、ＭＡＣエンティティは、リソースが第１ＲＲＣメッセージのサイズを満足しない場合に、第２ＲＲＣメッセージを下位レイヤエンティティへ送信する。
【０１４６】
この解決法では、カバレッジレベルによってサポートされるデータ量が第１ＲＲＣメッセージのサイズを満足しないことは、第１ＲＲＣメッセージのサイズがカバレッジレベルによってサポートされるデータ量制御閾値を超えることを意味することが理解されるべきである。リソースが第１ＲＲＣメッセージのサイズを満足しないことは、基地局によって設定されたアップリンクリソースが第１ＲＲＣメッセージを伝送するには不十分であることを意味する。
【０１４７】
上記のいくつかの実施において、サービスデータのような非シグナリングデータがランダム・アクセス・プロセスで伝送されるべきであるかどうかは、通信装置のＭＡＣエンティティによって決定される。その上、ＭＡＣエンティティは、通信装置のカバレッジレベルによってサポートされるデータ量が第１ＲＲＣメッセージのサイズを満足するかどうかを決定する必要があることが理解されるべきである。第１ＲＲＣメッセージのサイズがカバレッジレベルによってサポートされるデータ量以下である場合に、カバレッジレベルによってサポートされるデータ量は、第１ＲＲＣメッセージのサイズを満足し、あるいは、第１ＲＲＣメッセージのサイズがカバレッジレベルによってサポートされるデータ量よりも大きい場合に、カバレッジレベルによってサポートされるデータ量は、第１ＲＲＣメッセージのサイズを満足しない。
【０１４８】
ＭＡＣエンティティは、複数の方法で、通信装置のカバレッジレベルによってサポートされるデータ量を取得し得る。例えば、ＭＡＣエンティティは、上位レイヤエンティティからネットワークのコンフィグレーション情報又は通信装置のコンフィグレーション情報を取得してよい。これは、本願において制限されない。
【０１４９】
第１指示情報の主な目的は、ＭＡＣエンティティの判定結果が、データがランダム・アクセス・プロセスで伝送不可能であることであることを、ＲＲＣエンティティに知らせることである。第１指示情報の機能は、複数の方法で表現される可能性があることが理解され得る。例えば、第１指示情報は、第１ＲＲＣメッセージがランダム・アクセス・プロセスで送信され得ないことを示すために使用されてよい。他の例として、第１指示情報は、現在のカバレッジレベルによってサポートされるデータ量が第１ＲＲＣメッセージのサイズを満足しないことを示すために使用されてよい。他の例として、第１指示情報は、第１ＲＲＣメッセージが伝送不可能であることを示すために使用されてよい。他の例として、第１指示情報は、データを含まないＲＲＣメッセージが必要とされることを示すために使用されてよい。他の例として、第１指示情報は、アーリーデータ伝送プロシージャが現在のランダム・アクセス・プロセスでは実行されるべきではないこと、又はデータが現在のランダム・アクセス・プロセスでは伝送不可能であることを示すために使用されてよい。これは、本願において制限されない。同様に、第２指示情報の目的も、リソースが、伝送プロセスで第１ＲＲＣメッセージを伝送するには不十分であると判明することを示すことである。第２指示情報の機能は、複数の方法で表現される可能性があることが理解され得る。例えば、第２指示情報は、アップリンクリソースが第１ＲＲＣメッセージを伝送するには不十分であることを示すために使用されてよい。他の例として、第２指示情報は、伝送されるべきデータを含まない第２ＲＲＣメッセージが取得されるべきであることを示すために使用されてよい。他の例として、第２指示情報は、第１ＲＲＣメッセージが伝送に失敗することを示すために使用されてよい。他の例として、第２指示情報は、データが現在のランダム・アクセス・プロセスで伝送不可能であることを示すために使用されてよい。これは、本願において制限されない。
【０１５０】
他の可能な実施では、通信装置のＭＡＣエンティティは、上位レイヤエンティティから第１指示情報を受け取り、このとき、第１指示情報は、伝送されるべきデータがランダム・アクセス・プロセスで伝送されるべきであることを示すために使用される（実施例３におけるステップ３を参照）。
【０１５１】
ＭＡＣエンティティは、通信装置のカバレッジレベルを上位レイヤエンティティへ返す（実施例３におけるステップ２を参照）。
【０１５２】
この解決法では、上位レイヤエンティティがＲＲＣエンティティである場合に、ＲＲＣエンティティは、第１指示情報を下位レイヤエンティティへ送信し、このとき、第１指示情報は、伝送されるべきデータがランダム・アクセス・プロセスで伝送されるべきであることを示すために使用され、ＲＲＣエンティティは、下位レイヤエンティティによって返された通信装置のカバレッジレベルを受け取り、ＲＲＣエンティティは、通信装置のカバレッジレベルによってサポートされるデータ量が第１ＲＲＣメッセージのサイズを満足する場合に、第１ＲＲＣメッセージを下位レイヤエンティティへ送信し、このとき、第１ＲＲＣメッセージは、伝送されるべきデータを含む。
【０１５３】
第１指示情報の意味は、上記の解決法での第１指示情報のそれとは異なっている。ここで、ＲＲＣエンティティによってＭＡＣエンティティへ第１指示情報を送信する目的は、カバレッジレベルを取得することである。従って、伝送されるべきデータがランダム・アクセス・プロセスで伝送されるべきであることを示すことに加えて、第１指示情報は、カバレッジレベルが取得されるべきであることを示すか、あるいは、ＭＡＣエンティティにカバレッジレベルをＲＲＣエンティティへ返すよう指示するために、更に使用されてよい。これは、本願において制限されない。
【０１５４】
任意に、上記の解決法に基づいて、ＲＲＣエンティティは、通信装置のカバレッジレベルによってサポートされるデータ量が第１ＲＲＣメッセージのサイズを満足する場合に、第１ＲＲＣメッセージを下位レイヤエンティティへ送信し、このとき、第１ＲＲＣメッセージは、伝送されるべきデータを含む。
【０１５５】
ＭＡＣエンティティは、上位レイヤエンティティから第１ＲＲＣメッセージを受信し、このとき、第１ＲＲＣメッセージは、伝送されるべきデータを含み、
ＭＡＣエンティティは、第１ランダム・アクセス・プリアンブルを決定し、このとき、第１ランダム・アクセス・プリアンブルは、第１ＲＲＣメッセージがランダム・アクセス・プロセスで送信されるべきであることを示すために使用される。
【０１５６】
任意に、上記の解決法に基づいて、方法は、
ＭＡＣエンティティによって、下位レイヤエンティティから、通信装置に割り当てられているリソースを含む、第１ランダム・アクセス・プリアンブルに応答する応答メッセージを受け取ることと、ＭＡＣエンティティによって、リソースが第１ＲＲＣメッセージのサイズを満足する場合に、第１ＲＲＣメッセージを下位レイヤエンティティへ送信することとを更に含む。上記の解決法の実施については、実施例３におけるステップ３及び６を参照されたい。
【０１５７】
任意に、上記の解決法に基づいて、方法は、
ＭＡＣエンティティによって、リソースが前記第１ＲＲＣメッセージのサイズを満足しない場合に、第１ＲＲＣメッセージがランダム・アクセス・プロセスで送信され得ないことを示すために使用される第２指示情報を上位レイヤエンティティへ送信することを更に含む。この解決法の実施については、実施例３におけるステップ７を参照されたい。
【０１５８】
この解決法では、上位レイヤエンティティがＲＲＣエンティティである場合に、ＲＲＣエンティティは、下位レイヤエンティティによって送信された第２指示情報を受信し、このとき、第２指示情報は、第１ＲＲＣメッセージがランダム・アクセス・プロセスで送信され得ないことを示すために使用され、
ＲＲＣエンティティは、第２ＲＲＣメッセージを下位レイヤエンティティへ送信し、このとき、第２ＲＲＣメッセージは、送信されるべきデータを含まない。この解決法の具体的な実施については、実施例３におけるステップ４及び５を参照されたい。
【０１５９】
任意に、上記の解決法に基づいて、ＲＲＣエンティティは、通信装置のカバレッジレベルによってサポートされるデータ量が第１ＲＲＣメッセージのサイズを満足しない場合に、第２ＲＲＣメッセージを下位レイヤエンティティへ送信し、このとき、第２ＲＲＣメッセージは、送信されるべきデータを含まない。
【０１６０】
ＭＡＣエンティティは、上位レイヤエンティティから第２ＲＲＣメッセージを受信し、このとき、第２ＲＲＣメッセージは、送信されるべきデータを含まず、ＭＡＣエンティティは、第２ＲＲＣメッセージを下位レイヤエンティティへ送信する。
【０１６１】
上記の解決法では、サービスデータのような非シグナリングデータがランダム・アクセス・プロセスで伝送されるべきであるかどうかは、通信装置のＲＲＣエンティティによって決定される。この解決法での第２指示情報の意味は、上記の解決法での第２指示情報のそれと同じである。詳細は、ここで再び記載されない。
【０１６２】
上記の解決法では、上位レイヤエンティティは、現在のエンティティよりも高いレイヤに位置し、かつ、現在のエンティティに隣接する又は隣接しないエンティティを含むことが更に理解されるべきである。例えば、他の機能エンティティが、ＲＲＣエンティティとＭＡＣエンティティとの間に更に含まれてもよい。
【０１６３】
本願で提供される通信装置のランダム・アクセス方法は、ランダム・アクセス・プロセスにおけるＭＡＣエンティティとＲＲＣエンティティとの間の相互作用のための解決法を提供し、それにより、アーリーデータ伝送プロシージャと従来のランダム・アクセス・プロシージャとの間でフレキシブルスイッチングが実行され得る。その上、アーリーデータ伝送プロシージャは、従来のランダム・アクセス・プロセスへシームレスにロールバック可能であり、ランダム・アクセス・プリアンブルは再送される必要がなく、ランダム・アクセス・レスポンスは再び受信される必要がなく、それによって、シグナリング・オーバヘッドを低減し、通信装置の電力消費及び伝送レイテンシを低減することを助ける。
【０１６４】
図６は、本願に従う通信装置の実施例１の略構造図である。図６に示されるように、通信装置１０は、ＭＡＣエンティティ１１及びＲＲＣエンティティ１２を含む。通信装置の具体的な実施において、ＭＡＣエンティティ１１及びＲＲＣエンティティ１２は、同じ装置に配置されてよく、あるいは、異なる装置において分散して配置されてもよい。これは、本願において制限されない。
【０１６５】
ＭＡＣエンティティ１１は、
伝送されるべきデータを含む第１ＲＲＣメッセージを上位レイヤエンティティから受け取り、
通信装置のカバレッジレベルによってサポートされるデータ量が第１ＲＲＣメッセージのサイズを満足する場合に、第１ＲＲＣメッセージがランダム・アクセス・プロセスで送信されるべきであることを示すために使用される第１ランダム・アクセス・プリアンブルを決定する
よう構成される。
【０１６６】
任意に、ＭＡＣエンティティ１１は、
下位レイヤエンティティから、通信装置に割り当てられているリソースを含む、第１ランダム・アクセス・プリアンブルに応答する応答メッセージを受け取り、
リソースが第１ＲＲＣメッセージのサイズを満足する場合に、第１ＲＲＣメッセージを下位レイヤエンティティへ送信する
よう更に構成される。
【０１６７】
任意に、ＭＡＣエンティティ１１は、
通信装置のカバレッジレベルによってサポートされるデータ量が第１ＲＲＣメッセージのサイズを満足しない場合に、第１ＲＲＣメッセージがランダム・アクセス・プロセスで送信され得ないことを示すために使用される第１指示情報を上位レイヤエンティティへ送信するよう更に構成される。
【０１６８】
任意に、ＭＡＣエンティティ１１は、
リソースが第１ＲＲＣメッセージのサイズを満足しない場合に、第１ＲＲＣメッセージがランダム・アクセス・プロセスで送信され得ないことを示すために使用される第２指示情報を上位レイヤエンティティへ送信するよう更に構成される。
【０１６９】
任意に、ＭＡＣエンティティ１１は、
送信されるべきデータを含まない第２ＲＲＣメッセージを上位レイヤエンティティから受け取り、
通信装置のカバレッジレベルによってサポートされるデータ量が第１ＲＲＣメッセージのサイズを満足しない場合に、第２ＲＲＣメッセージを下位レイヤエンティティへ送信するか、あるいは、リソースが第１ＲＲＣメッセージのサイズを満足しない場合に、第２ＲＲＣメッセージを下位レイヤエンティティへ送信する
よう更に構成される。
【０１７０】
任意に、ＲＲＣエンティティ１２は、
伝送されるべきデータを含む第１ＲＲＣメッセージを下位レイヤエンティティへ送信するよう構成される。
【０１７１】
任意に、ＲＲＣエンティティ１２は、
第１ＲＲＣメッセージがランダム・アクセス・プロセスで送信され得ないことを示すために使用される、下位レイヤエンティティによって送信された指示情報を受け取るよう更に構成される。
【０１７２】
任意に、通信装置のカバレッジレベルによってサポートされるデータ量は、第１ＲＲＣメッセージのサイズを満足せず、あるいは、
通信装置に割り当てられているリソースは、第１ＲＲＣメッセージのサイズを満足しない。
【０１７３】
任意に、ＲＲＣエンティティ１２は、
送信されるべきデータを含まない第２ＲＲＣメッセージを下位レイヤエンティティへ送信するよう更に構成される。
【０１７４】
上記で如何なる実施形態で提供される通信装置も、上記の方法の実施形態で提供される通信装置のランダム・アクセス方法を実装するよう構成される。それらの実施原理及び技術的効果は同様である。詳細は、ここで再び記載されない。
【０１７５】
通信装置１０の他の実施解決法において、ＭＡＣエンティティ１１は、
伝送されるべきデータがランダム・アクセス・プロセスで伝送されるべきであること示すために使用される第１指示情報を上位レイヤエンティティから受け取り、
通信装置のカバレッジレベルを上位レイヤエンティティへ返す
よう構成される。
【０１７６】
任意に、ＭＡＣエンティティ１１は、
伝送されるべきデータを含む第１ＲＲＣメッセージを上位レイヤエンティティから受け取り、
第１ＲＲＣメッセージがランダム・アクセス・プロセスで送信されるべきであることを示すために使用される第１ランダム・アクセス・プリアンブルを決定する
よう更に構成される。
【０１７７】
任意に、ＭＡＣエンティティ１１は、
下位レイヤエンティティから、通信装置に割り当てられているリソースを含む、第１ランダム・アクセス・プリアンブルに応答する応答メッセージを受け取り、
リソースが第１ＲＲＣメッセージのサイズを満足する場合に、第１ＲＲＣメッセージを下位レイヤエンティティへ送信する
よう更に構成される。
【０１７８】
任意に、ＭＡＣエンティティ１１は、
リソースが第１ＲＲＣメッセージのサイズを満足しない場合に、第１ＲＲＣメッセージがランダム・アクセス・プロセスで送信され得ないことを示すために使用される第２指示情報を上位レイヤエンティティへ送信するよう更に構成される。
【０１７９】
任意に、ＭＡＣエンティティ１１は、
送信されるべきデータを含まない第２ＲＲＣメッセージを上位レイヤエンティティから受け取り、
第２ＲＲＣメッセージを下位レイヤエンティティへ送信する
よう更に構成される。
【０１８０】
任意に、ＲＲＣエンティティ１２は、
伝送されるべきデータがランダム・アクセス・プロセスで伝送されるべきであること示すために使用される第１指示情報を下位レイヤエンティティへ送信し、
下位レイヤエンティティによって返された通信装置のカバレッジレベルを受け取り、
通信装置のカバレッジレベルによってサポートされるデータ量が、伝送されるべきデータを含む第１ＲＲＣメッセージのサイズを満足する場合に、第１ＲＲＣメッセージを下位レイヤエンティティへ送信する
よう構成される。
【０１８１】
任意に、ＲＲＣエンティティ１２は、
第１ＲＲＣメッセージがランダム・アクセス・プロセスで送信され得ないことを示すために使用される、下位レイヤエンティティによって送信された第２指示情報を受け取り、
送信されるべきデータを含まない第２ＲＲＣメッセージを下位レイヤエンティティへ送信する
よう更に構成される。
【０１８２】
任意に、ＲＲＣエンティティ１２は、
通信装置のカバレッジレベルによってサポートされるデータ量が第１ＲＲＣメッセージのサイズを満足しない場合に、送信されるべきデータを含まない第２ＲＲＣメッセージを下位レイヤエンティティへ送信するよう更に構成される。
【０１８３】
上記で如何なる実施形態で提供される通信装置も、上記の方法の実施形態で提供される通信装置のランダム・アクセス方法を実装するよう構成される。それらの実施原理及び技術的効果は、同様である。詳細は、ここで再び記載されない。
【０１８４】
図７は、本願に従う通信装置の実施例１の略構造図である。図７に示されるように、通信装置は、コンピュータ命令を記憶するよう構成されたメモリと、プロセッサとを含む。プロセッサは、
伝送されるべきデータを含む第１ＲＲＣメッセージを上位レイヤエンティティから受け取り、
通信装置のカバレッジレベルによってサポートされるデータ量が第１ＲＲＣメッセージのサイズを満足する場合に、第１ＲＲＣメッセージがランダム・アクセス・プロセスで送信されるべきであることを示すために使用される第１ランダム・アクセス・プリアンブルを決定する
よう構成される。
【０１８５】
任意に、プロセッサは、
下位レイヤエンティティから、通信装置に割り当てられているリソースを含む、第１ランダム・アクセス・プリアンブルに応答する応答メッセージを受け取り、
リソースが第１ＲＲＣメッセージのサイズを満足する場合に、第１ＲＲＣメッセージを下位レイヤエンティティへ送信する
よう更に構成される。
【０１８６】
任意に、プロセッサは、
通信装置のカバレッジレベルによってサポートされるデータ量が第１ＲＲＣメッセージのサイズを満足しない場合に、第１ＲＲＣメッセージがランダム・アクセス・プロセスで送信され得ないことを示すために使用される第１指示情報を上位レイヤエンティティへ送信するよう更に構成される。
【０１８７】
任意に、プロセッサは、
リソースが第１ＲＲＣメッセージのサイズを満足しない場合に、第１ＲＲＣメッセージがランダム・アクセス・プロセスで送信され得ないことを示すために使用される第２指示情報を上位レイヤエンティティへ送信するよう更に構成される。
【０１８８】
任意に、プロセッサは、
送信されるべきデータを含まない第２ＲＲＣメッセージを上位レイヤエンティティから受け取り、
通信装置のカバレッジレベルによってサポートされるデータ量が第１ＲＲＣメッセージのサイズを満足しない場合に、第２ＲＲＣメッセージを下位レイヤエンティティへ送信するか、あるいは、リソースが第１ＲＲＣメッセージのサイズを満足しない場合に、第２ＲＲＣメッセージを下位レイヤエンティティへ送信する
よう更に構成される。
【０１８９】
任意に、プロセッサは、
伝送されるべきデータを含む第１ＲＲＣメッセージを下位レイヤエンティティへ送信するよう構成される。
【０１９０】
任意に、プロセッサは、
第１ＲＲＣメッセージがランダム・アクセス・プロセスで送信され得ないことを示すために使用される、上位レイヤエンティティによって送信された第１指示情報を受け取るよう更に構成される。
【０１９１】
任意に、プロセッサは、
第１ＲＲＣメッセージがランダム・アクセス・プロセスで送信され得ないことを示すために使用される、上位レイヤエンティティによって送信された第２指示情報を受け取るよう更に構成される。
【０１９２】
任意に、プロセッサは、
送信されるべきデータを含まない第２ＲＲＣメッセージを下位レイヤエンティティへ送信するよう更に構成される。
【０１９３】
通信デバイスの他のタイプの具体的な実施では、プロセッサは、
伝送されるべきデータがランダム・アクセス・プロセスで伝送されるべきであること示すために使用される第１指示情報を上位レイヤエンティティから受け取り、
通信装置のカバレッジレベルを上位レイヤエンティティへ返す
よう構成される。
【０１９４】
任意に、プロセッサは、
伝送されるべきデータを含む第１ＲＲＣメッセージを上位レイヤエンティティから受け取り、
第１ＲＲＣメッセージがランダム・アクセス・プロセスで送信されるべきであることを示すために使用される第１ランダム・アクセス・プリアンブルを決定する
よう更に構成される。
【０１９５】
任意に、プロセッサは、
下位レイヤエンティティから、通信装置に割り当てられているリソースを含む、第１ランダム・アクセス・プリアンブルに応答する応答メッセージを受け取り、
リソースが第１ＲＲＣメッセージのサイズを満足する場合に、第１ＲＲＣメッセージを下位レイヤエンティティへ送信する
よう更に構成される。
【０１９６】
任意に、プロセッサは、
リソースが第１ＲＲＣメッセージのサイズを満足しない場合に、第１ＲＲＣメッセージがランダム・アクセス・プロセスで送信され得ないことを示すために使用される第２指示情報を上位レイヤエンティティへ送信するよう更に構成される。
【０１９７】
任意に、プロセッサは、
送信されるべきデータを含まない第２ＲＲＣメッセージを上位レイヤエンティティから受け取り、
第２ＲＲＣメッセージを下位レイヤエンティティへ送信する
よう更に構成される。
【０１９８】
任意に、プロセッサは、
伝送されるべきデータがランダム・アクセス・プロセスで伝送されるべきであること示すために使用される第１指示情報を下位レイヤエンティティへ送信し、
下位レイヤエンティティによって返された通信装置のカバレッジレベルを受け取り、
通信装置のカバレッジレベルによってサポートされるデータ量が、伝送されるべきデータを含む第１ＲＲＣメッセージのサイズを満足する場合に、第１ＲＲＣメッセージを下位レイヤエンティティへ送信する
よう構成される。
【０１９９】
任意に、プロセッサは、
第１ＲＲＣメッセージがランダム・アクセス・プロセスで送信され得ないことを示すために使用される、下位レイヤエンティティによって送信された第２指示情報を受け取り、
送信されるべきデータを含まない第２ＲＲＣメッセージを下位レイヤエンティティへ送信する
よう更に構成される。
【０２００】
任意に、プロセッサは、
通信装置のカバレッジレベルによってサポートされるデータ量が第１ＲＲＣメッセージのサイズを満足しない場合に、送信されるべきデータを含まない第２ＲＲＣメッセージを下位レイヤエンティティへ送信するよう更に構成される。
【０２０１】
通信装置の如何なる実施においても、メモリに記憶されている実行可能命令、すなわち、コンピュータプログラムを実行するよう構成された少なくとも１つのプロセッサが存在する。通信装置は、データを受信及び送信するよう構成されたトランシーバを更に含んでもよい。任意に、メモリは更に、プロセッサに組み込まれてもよい。
【０２０２】
本願は、読み出し可能な記憶媒体及びコンピュータ命令を含む読み出し可能な記憶媒体を更に提供し、コンピュータプログラムは、いずれかの上記の実施解決法で提供される通信装置のランダム・アクセス方法を実装するために使用される。
【０２０３】
本願は、読み出し可能な記憶媒体及びコンピュータ命令を含む読み出し可能な記憶媒体を更に提供し、コンピュータプログラムは、いずれかの上記の実施解決法で提供される通信装置のランダム・アクセス方法を実装するために使用される。
【０２０４】
本願は、コンピュータ命令が、読み出し可能な記憶媒体に記憶されており、通信装置の少なくとも１つのプロセッサが、読み出し可能な記憶媒体からコンピュータ命令を読み出し、コンピュータ命令を実行して、通信装置が、いずれかの上記の実施で提供される通信装置のランダム・アクセス方法を実行することを可能にするところのプログラム製品を更に提供する。
【０２０５】
通信装置の上記の実施形態で、プロセッサは、中央演算処理装置（Central  Processing  Unit，略してＣＰＵ）であってよく、あるいは、他の汎用プロセッサ、デジタル信号プロセッサ（Digital  Signal  Processor，略してＤＳＰ）、特定用途向け集積回路（Application  Specific  Integrated  Circuit，略してＡＳＩＣ）、又はそのようなものであってよいことが更に理解されるべきである。汎用プロセッサは、マイクロプロセッサであってよく、あるいは、プロセッサは、如何なる従来のプロセッサ又はそのようなものであってもよい。本願の実施形態を参照して開示されている方法のステップは、ハードウェア・プロセッサによって直接実行されてよく、あるいは、プロセッサ内のハードウェアとソフトウェアモジュールとの組み合わせによって実行されてもよい。
【０２０６】
当業者であれば、方法の実施形態のステップの全て又は一部が、関連するハードウェアに命令するプログラムによって実装されてよいと理解し得る。プログラムは、コンピュータ読み出し可能なメモリに記憶されてよい。プログラムが実行されるとき、実施形態における方法のステップが実行される。メモリ（記憶媒体）には、リード・オンリー・メモリ（read-only  memory，略してＲＯＭ）、ＲＡＭ、フラッシュメモリ、ハードディスク、ソリッドステートディスク、磁気テープ（magnetic  tape）、フロッピーディスク（floppy  disk）、光ディスク（optical  disc）、及びそれらの任意の組み合わせがある。
【０２０７】
最後に、上記の実施形態は、本願を限定することよりむしろ、単に、本願の技術的解決法について記載することを目的としている。
【図１】
2021502756.tif 000003
【図２】
2021502756.tif 000004
【図３】
2021502756.tif 000005
【図４】
2021502756.tif 000006
【図５】
2021502756.tif 000007
【図６】
2021502756.tif 000008
【図７】
2021502756.tif 000009
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
通信装置において無線リソース制御（ＲＲＣ）レイヤから媒体アクセス制御（ＭＡＣ）レイヤで、伝送されるべきデータを含む第１ＲＲＣメッセージを受信することと、
前記ＭＡＣレイヤで、前記伝送されるべきデータに対してアーリーデータ伝送（ＥＤＴ）を実行すべきかどうかを決定することと
を有し、
前記通信装置のカバレッジレベルによってサポートされるデータ量、又は前記通信装置に割り当てられているリソースが、前記第１ＲＲＣメッセージのサイズを満足しない場合に、前記ＥＤＴはキャンセルされ、あるいは、前記通信装置のカバレッジレベルによってサポートされるデータ量、又は前記通信装置に割り当てられているリソースが、前記第１ＲＲＣメッセージのサイズを満足する場合に、前記ＥＤＴは、前記伝送されるべきデータに対して実行される、
方法。
【請求項２】
前記ＭＡＣレイヤで、前記ＲＲＣレイヤに対して、前記ＥＤＴがキャンセルされることを示す指示情報を送信することを更に有し、
前記通信装置の前記カバレッジレベルによってサポートされる前記データ量は、前記第１ＲＲＣメッセージの前記サイズを満足せず、あるいは、前記通信装置に割り当てられている前記リソースは、前記第１ＲＲＣメッセージの前記サイズを満足しない、
請求項１に記載の方法。
【請求項３】
前記ＲＲＣレイヤで、前記伝送されるべきデータを有さない第２ＲＲＣメッセージを生成することを更に有する、
請求項１又は２に記載の方法。
【請求項４】
前記伝送されるべきデータに対して前記ＥＤＴを実行することを更に有し、
前記通信装置の前記カバレッジレベルによってサポートされる前記データ量、又は前記通信装置に割り当てられている前記リソースは、前記第１ＲＲＣメッセージの前記サイズを満足する、
請求項１に記載の方法。
【請求項５】
前記伝送されるべきデータに対して前記ＥＤＴを実行することは、
前記伝送されるべきデータをランダム・アクセス・プロセスで伝送することを有する、
請求項４に記載の方法。
【請求項６】
前記伝送されるべきデータをランダム・アクセス・プロセスで伝送することは、
前記ＭＡＣレイヤで、前記伝送されるべきデータがランダム・アクセス・プロセスで送信されるべきであることを示すために使用されるランダム・アクセス・プリアンブルを決定することを有する、
請求項５に記載の方法。
【請求項７】
前記ＭＡＣレイヤで、前記通信装置の下層レイヤから、前記通信装置に割り当てられている前記リソースを有する、前記ランダム・アクセス・プリアンブルに応答する応答メッセージを受信することと、
前記ＭＡＣレイヤによって、前記第１ＲＲＣメッセージを前記下層レイヤへ送信することと
を更に有する、請求項６に記載の方法。
【請求項８】
前記ＲＲＣレイヤで、前記伝送されるべきデータを含む前記第１ＲＲＣメッセージを生成することを更に有する、
請求項１乃至７のうちいずれか一項に記載の方法。
【請求項９】
通信装置であって、
プロセッサと、
前記プロセッサによって実行される場合に、前記通信装置に、
伝送されるべきデータを含む第１無線リソース制御（ＲＲＣ）メッセージを受信させ、
前記伝送されるべきデータに対してアーリーデータ伝送（ＥＤＴ）を実行すべきかどうかを決定させる
実行可能命令を記憶している読み出し可能な記憶媒体とを有し、
前記通信装置のカバレッジレベルによってサポートされるデータ量、又は前記通信装置に割り当てられているリソースが、前記第１ＲＲＣメッセージのサイズを満足しない場合に、前記ＥＤＴはキャンセルされ、あるいは、前記通信装置のカバレッジレベルによってサポートされるデータ量、又は前記通信装置に割り当てられているリソースが、前記第１ＲＲＣメッセージのサイズを満足する場合に、前記ＥＤＴは、前記伝送されるべきデータに対して実行される、
通信装置。
【請求項１０】
前記実行可能命令が前記プロセッサによって実行される場合に、前記実行可能命令は、前記通信装置に更に、前記ＥＤＴがキャンセルされることを示す指示情報を送信させ、
前記通信装置の前記カバレッジレベルによってサポートされる前記データ量は、前記第１ＲＲＣメッセージの前記サイズを満足せず、あるいは、前記通信装置に割り当てられている前記リソースは、前記第１ＲＲＣメッセージの前記サイズを満足しない、
請求項９に記載の通信装置。
【請求項１１】
前記実行可能命令が前記プロセッサによって実行される場合に、前記実行可能命令は、前記通信装置に更に、前記伝送されるべきデータを有さない第２ＲＲＣメッセージを生成させる、
請求項９又は１０に記載の通信装置。
【請求項１２】
前記実行可能命令が前記プロセッサによって実行される場合に、前記実行可能命令は、前記通信装置に更に、前記伝送されるべきデータに対して前記ＥＤＴを実行させ、
前記通信装置の前記カバレッジレベルによってサポートされる前記データ量、又は前記通信装置に割り当てられている前記リソースは、前記第１ＲＲＣメッセージの前記サイズを満足する、
請求項９に記載の通信装置。
【請求項１３】
前記実行可能命令が前記プロセッサによって実行される場合に、前記実行可能命令は、前記通信装置に、前記伝送されるべきデータをランダム・アクセス・プロセスで伝送させる、
請求項１２に記載の通信装置。
【請求項１４】
前記実行可能命令が前記プロセッサによって実行される場合に、前記実行可能命令は、前記通信装置に、前記伝送されるべきデータがランダム・アクセス・プロセスで送信されるべきであることを示すために使用されるランダム・アクセス・プリアンブルを決定させる、
請求項１３に記載の通信装置。
【請求項１５】
前記実行可能命令が前記プロセッサによって実行される場合に、前記実行可能命令は、前記通信装置に更に、前記通信装置に割り当てられている前記リソースを有する、前記通信装置の下層レイヤから前記ランダム・アクセス・プリアンブルに応答する応答メッセージを受信させ、
前記第１ＲＲＣメッセージを前記下層レイヤへ送信させる、
請求項１４に記載の通信装置。
【請求項１６】
前記実行可能命令が前記プロセッサによって実行される場合に、前記実行可能命令は、前記通信装置に更に、前記伝送されるべきデータを含む前記第１ＲＲＣメッセージを生成させる、
請求項９乃至１５のうちいずれか一項に記載の通信装置。
【請求項１７】
コンピュータ命令を有し、該コンピュータ命令は、プロセッサによって実行される場合に、該プロセッサに、請求項１乃至８のうちいずれか一項に記載の方法を実行させる、
プログラム。
【請求項１８】
請求項１７に記載のプログラムを記憶しているコンピュータ読み出し可能な記憶媒体。
【手続補正２】
【補正対象書類名】明細書
【補正対象項目名】００６２
【補正方法】変更
【補正の内容】
【００６２】
本願の第１１の態様は、コンピュータ命令を含む読み出し可能な記憶媒体を更に提供し、コンピュータ命令は、第１の態様のいずれかの実施解決法で提供される通信装置のランダム・アクセス方法を実装するために使用される。
【手続補正３】
【補正対象書類名】明細書
【補正対象項目名】００６３
【補正方法】変更
【補正の内容】
【００６３】
本願の第１２の態様は、コンピュータ命令を含む読み出し可能な記憶媒体を更に提供し、コンピュータ命令は、第２の態様のいずれかの実施解決法で提供される通信装置のランダム・アクセス方法を実装するために使用される。
【手続補正４】
【補正対象書類名】明細書
【補正対象項目名】００６４
【補正方法】変更
【補正の内容】
【００６４】
本願の第１３の態様は、コンピュータ命令を含む読み出し可能な記憶媒体を更に提供し、コンピュータ命令は、第３の態様のいずれかの実施解決法で提供される通信装置のランダム・アクセス方法を実装するために使用される。
【手続補正５】
【補正対象書類名】明細書
【補正対象項目名】００６５
【補正方法】変更
【補正の内容】
【００６５】
本願の第１４の態様は、コンピュータ命令を含む読み出し可能な記憶媒体を更に提供し、コンピュータ命令は、第４の態様のいずれかの実施解決法で提供される通信装置のランダム・アクセス方法を実装するために使用される。
【手続補正６】
【補正対象書類名】明細書
【補正対象項目名】００６６
【補正方法】変更
【補正の内容】
【００６６】
本願の第１５の態様は、プログラム製品を提供し、プログラム製品はコンピュータ命令を有し、コンピュータ命令は、読み出し可能な記憶媒体に記憶されており、通信装置の少なくとも１つのプロセッサは、読み出し可能な記憶媒体からコンピュータ命令を読み出し、コンピュータ命令を実行して、通信装置が、第１の態様のいずれかの実施に従う通信装置のランダム・アクセス方法を実行することを可能にする。
【手続補正７】
【補正対象書類名】明細書
【補正対象項目名】００６７
【補正方法】変更
【補正の内容】
【００６７】
本願の第１６の態様は、プログラム製品を提供し、プログラム製品はコンピュータ命令を有し、コンピュータ命令は、読み出し可能な記憶媒体に記憶されており、通信装置の少なくとも１つのプロセッサは、読み出し可能な記憶媒体からコンピュータ命令を読み出し、コンピュータ命令を実行して、通信装置が、第２の態様のいずれかの実施に従う通信装置のランダム・アクセス方法を実行することを可能にする。
【手続補正８】
【補正対象書類名】明細書
【補正対象項目名】００６８
【補正方法】変更
【補正の内容】
【００６８】
本願の第１７の態様は、プログラム製品を提供し、プログラム製品はコンピュータ命令を有し、コンピュータ命令は、読み出し可能な記憶媒体に記憶されており、通信装置の少なくとも１つのプロセッサは、読み出し可能な記憶媒体からコンピュータ命令を読み出し、コンピュータ命令を実行して、通信装置が、第３の態様のいずれかの実施に従う通信装置のランダム・アクセス方法を実行することを可能にする。
【手続補正９】
【補正対象書類名】明細書
【補正対象項目名】００６９
【補正方法】変更
【補正の内容】
【００６９】
本願の第１８の態様は、プログラム製品を提供し、プログラム製品はコンピュータ命令を有し、コンピュータ命令は、読み出し可能な記憶媒体に記憶されており、通信装置の少なくとも１つのプロセッサは、読み出し可能な記憶媒体からコンピュータ命令を読み出し、コンピュータ命令を実行して、通信装置が、第４の態様のいずれかの実施に従う通信装置のランダム・アクセス方法を実行することを可能にする。
【手続補正１０】
【補正対象書類名】明細書
【補正対象項目名】００８３
【補正方法】変更
【補正の内容】
【００８３】
本願で提供される解決法は、２Ｇシステム、３Ｇ通信システム、４Ｇ通信システム、５Ｇシステム、及びワイヤレス・ローカル・エリア・ネットワークのような様々な無線通信システムに適用され、特に、端末の電力消費が低くかつ複雑度が低い無線通信システム、例えば、ナローバンド・インターネット・オブ・シングス（NarrowBand  Internet  of  Things，ＮＢ−ＩｏＴ）ネットワーク及びＭＴＣネットワークに適用されてよい。図２は、本願に従う通信装置のランダム・アクセス方法の適用シナリオの概略図である。図２に示されるように、シナリオは、ネットワークデバイス（例えば、基地局）、及びネットワークデバイスへ接続された様々なタイプの端末、及びまとめて通信デバイスと呼ばれ得る携帯電話機、コンピュータ、様々なセンサ、又は通信チップのような、通信機能を含む特定のデバイスを含む。本願における通信装置は、ＲＲＣエンティティ及びＭＡＣエンティティを含む。ＭＡＣエンティティ及びＲＲＣエンティティは、分散した様態で配置されてよい。これは、本願において制限されない。本願の全ての実施形態で、伝送されるべきデータ、送信されるべきデータ、サービスデータ、データ、などは、同じ意味を有している。
【手続補正１１】
【補正対象書類名】明細書
【補正対象項目名】００９１
【補正方法】変更
【補正の内容】
【００９１】
指示情報の主な目的は、ＭＡＣエンティティの判定結果が、データがランダム・アクセス・プロセスで伝送不可能であることであることを、ＲＲＣエンティティに通知することであることが理解され得る。指示情報の機能は、複数の方法で表現される可能性があることが理解され得る。例えば、指示情報は、伝送されるべきデータを含むＲＲＣメッセージがランダム・アクセス・プロセスで送信され得ないことを示すために使用されてよい。他の例として、指示情報は、現在のカバレッジレベルによってサポートされるデータ量が伝送されるべきデータを含むＲＲＣメッセージのサイズを満足しないことを示すために使用されてよい。他の例として、指示情報は、伝送されるべきデータを含むＲＲＣメッセージが伝送不可能であることを示すために使用されてよい。他の例として、指示情報は、データを含まないＲＲＣメッセージが必要とされることを示すために使用されてよい。他の例として、指示情報は、アーリーデータ伝送プロシージャが現在のランダム・アクセス・プロセスでは実行されるべきではないこと、又はデータが現在のランダム・アクセス・プロセスでは伝送不可能であることを示すために使用されてよい。これは、本願において制限されない。
【手続補正１２】
【補正対象書類名】明細書
【補正対象項目名】０２０２
【補正方法】変更
【補正の内容】
【０２０２】
本願は、コンピュータ命令を含む読み出し可能な記憶媒体を更に提供し、コンピュータ命令は、いずれかの上記の実施解決法で提供される通信装置のランダム・アクセス方法を実装するために使用される。
【手続補正１３】
【補正対象書類名】明細書
【補正対象項目名】０２０３
【補正方法】変更
【補正の内容】
【０２０３】
本願は、コンピュータ命令を含む読み出し可能な記憶媒体を更に提供し、コンピュータ命令は、いずれかの上記の実施解決法で提供される通信装置のランダム・アクセス方法を実装するために使用される。
【手続補正１４】
【補正対象書類名】明細書
【補正対象項目名】０２０４
【補正方法】変更
【補正の内容】
【０２０４】
本願は、プログラム製品を提供し、プログラム製品はコンピュータ命令を有し、コンピュータ命令は、読み出し可能な記憶媒体に記憶されており、通信装置の少なくとも１つのプロセッサが、読み出し可能な記憶媒体からコンピュータ命令を読み出し、コンピュータ命令を実行して、通信装置が、いずれかの上記の実施で提供される通信装置のランダム・アクセス方法を実行することを可能にする。
【国際調査報告】
2021502756.tif 000010
2021502756.tif 000011
2021502756.tif 000012
2021502756.tif 000013